(57)【特許請求の範囲】
【請求項１】
釣竿の竿芯に取り付けられる釣竿のグリップであって、
前記竿芯の軸心方向に交差する交差面が形成されている第１本体部と、少なくとも一部が前記交差面から前記軸心方向に突出する第１差込み部と、を有する第１の管体を少なくとも一つ備え、
前記第１の管体の内面と前記竿芯の外面との間には、空間が形成され、
前記交差面は、前記第１差込み部の割れを防止する割れ防止部材に形成されている端面、又は、前記第１の管体に隣接して配置される別の管体に形成されている端面が接する面である、釣竿のグリップ。
【請求項２】
前記第１本体部及び前記第１差込み部は、円筒状に形成され、
前記第１差込み部の外径は、前記第１本体部の外径よりも小さい、請求項１に記載の釣竿のグリップ。
【請求項３】
第２本体部と、前記第２本体部から前記軸心方向に突出し、前記第１本体部に差し込まれる第２差込み部と、を有する第２の管体を備える、請求項１又は２に記載の釣竿のグリップ。
【請求項４】
釣竿の竿芯に取り付けられる釣竿のグリップであって、
前記竿芯の軸心方向に交差する交差面が形成されている第１本体部と、少なくとも一部が前記交差面から前記軸心方向に突出する第１差込み部と、を有する第１の管体を少なくとも一つ備え、
前記第１の管体の内面と前記竿芯の外面との間には、空間が形成され、
第２本体部と、前記第２本体部から前記軸心方向に突出し、前記第１本体部に差し込まれる第２差込み部と、を有する第２の管体を備える、釣竿のグリップ。
【請求項５】
前記第１の管体に隣接して配置されている円筒状の第２の管体と、
前記第２の管体の内面と、前記竿芯の外面との間に配置されている少なくとも一つのブッシュと、
を備える、請求項１又は２に記載の釣竿のグリップ。
【請求項６】
前記第１差込み部には、前記竿芯が嵌め込まれる竿芯用孔が形成され、
前記第１差込み部の前記竿芯用孔に前記竿芯が嵌め込まれることにより、前記第１本体部は前記竿芯に対して支持されている、請求項１から５のいずれか一項に記載の釣竿のグリップ。
【請求項７】
前記第１差込み部は、前記第１本体部に一体に形成されている、請求項１から６のいずれか一項に記載の釣竿のグリップ。
【請求項８】
前記第１差込み部は、前記第１本体部に対して別体に形成されている、請求項１から６のいずれか一項に記載の釣竿のグリップ。
【請求項９】
単一の前記第１の管体を一つ備え、
前記第１の管体の内周面と、前記竿芯の外面との間に配置されている少なくとも一つのブッシュを備える、請求項１から８のいずれか一項に記載の釣竿のグリップ。
【請求項１０】
前記第１の管体の前記第１本体部の表面に装着されるシート状のリールシート、又は、前記第１の管体の前記第１本体部の外周に嵌め込まれるパイプ状のリールシートを備える、請求項１から９のいずれか一項に記載の釣竿のグリップ。
【請求項１１】
前記第１差込み部に取り付けられることで、前記第１差込み部の割れを防止する割れ防止部材を備える、請求項１から１０のいずれか一項に記載の釣竿のグリップ。
【請求項１２】
尻栓が嵌め込まれる尻栓配置空間が形成されている、請求項１から１１のいずれか一項に記載の釣竿のグリップ。
【請求項１３】
釣竿の竿芯と、
前記竿芯に取り付けられる請求項１から１２のいずれか一項に記載の釣竿のグリップと、
を備える、釣竿。
【発明の詳細な説明】
【技術分野】
【０００１】
本発明は、釣竿のグリップ及びそれを備える釣竿に関する。
【背景技術】
【０００２】
発明者の見識では、魚釣りには、様々の釣りと、その釣り方、又は釣竿が存在する。尚、魚釣りにはミャク釣りやウキ釣り、疑似餌による釣り等の様々な釣り方がある。ミャク釣りは軽いオモリを付けた仕掛けや針やサルカンや餌の重さ等で、糸の変化や竿、指先へのあたりを感じて釣る釣法で、所謂、魚信（釣りで、魚が餌等に触れたことが、釣竿や糸やウキに伝わる。当たりのことである）で、釣竿を上部に振り上げることによって、餌の付いた針を、魚の口等にフックさせる釣り方である。
【０００３】
そして、この魚信をとらえる時の指先への伝達は、例えば、餌の付いた針→釣糸→竿芯→釣り人の手指、又は、餌の付いた針→釣糸→リール→釣り人の手指、更には、餌の付いた針→釣糸→竿芯のガイド→竿芯→竿芯のグリップ→リールシート→リール→釣り人の手指、若しくは、餌の付いた針→釣糸→竿芯のガイド→竿芯→パイプシート等（リールを固定するリールシートと、竿芯の太さに合わせパイプ状の土台部分が一体となったもの）→釣り人の手指、等がある。
【０００４】
従って、魚等の釣りに使用する釣竿の役割は、例えば、釣る魚等の種類、釣り方にもよるが、視覚による竿先の動き、及び／又は、餌の付いた釣糸から、竿芯やグリップに伝わる感触で釣竿を拳上させる動作で、釣り糸につけた針に引っ掛った魚等（獲物）を釣り上げる。このようなことから、竿先の動き以外で重要となるのが、魚等が針に付けられた餌や、釣糸の先に付けられた疑似餌等を捕食している感触が、釣り人の手等に伝わることであり、竿芯や、グリップ、或いはパイプシート等の役割が重要となる。
【０００５】
また、釣竿と、そのグリップの形態を検討する。例えば、素材や、竿芯とグリップの相性において、それぞれの拘りと特性とが考えられる。以下、個別に詳述すると、釣竿は、大半が、グラスファイバーやカーボン等の複合素材で作られている。一方で、釣竿のグリップは、その素材に直接塗装が施されたものや、ざらつきを施した塗装・ゴム等のラバー等で滑り止めを施したもの、軽さと滑り止めを兼ねたコルクや発泡ウレタン、発泡ゴム等を使用したものや、稀には天然素材を活かした竹等のグリップが存在する。
【０００６】
以上のような事を鑑み、本発明を考え、かつその構成を提案する。
【０００７】
ここで、従来の文献を挙げると、竿芯にコルクグリップを被嵌した構成の特許文献１が挙げられる。しかし、この発明は竿芯に、無垢のコルクグリップを、構成したものである。しかし、この種のコルクグリップの構造では、穂先等の振動が、手元部や、リール等に伝達し難いと考えられる。また、コルク以外の木質グリップに関する記述も見当たらない。
【０００８】
また、グリップを複数個の短筒体（本発明の短管体）で構成した例で、特許文献２が挙げられる。しかし、この考案は、グラスファイバー製のパイプに、直接、短筒体を被嵌した構成であり、ハイプと短筒体の間には、空間を設ける構成ではない。従って、特許文献１と同じ課題を抱えていると思料される。
【先行技術文献】
【特許文献】
【０００９】
【特許文献１】特開平１１−３１８２８４号公報
【特許文献２】登録実用新案第３１３７１１４号公報
【特許文献３】実全昭４９−０３７４７２号公報
【発明の概要】
【発明が解決しようとする課題】
【００１０】
前述の如く、「穂先、及び／又は、釣り糸等の振動を、例えば、木質グリップ（木質のグリップ）に伝達可能とした」構造は、知見した特許文献１を始めとし、従来、見聞できなかった。即ち、釣り人としての醍醐味と、喜びにおいて、今一度、工夫をする必要性がある。
【００１１】
本発明は、以上の「穂先の振動を、例えば、木質グリップに伝達可能とした構造」を開示し、実用に供した釣竿のグリップ及びそれを備える釣竿を提供することを目的とする。
【課題を解決するための手段】
【００１２】
上記目的を達成するために、本発明の第１の観点に係る釣竿のグリップは、
釣竿の竿芯に取り付けられる釣竿のグリップであって、
前記竿芯の軸心方向に交差する交差面が形成されている第１本体部と、少なくとも一部が前記交差面から前記軸心方向に突出する第１差込み部と、を有する第１の管体を少なくとも一つ備え、
前記第１の管体の内面と前記竿芯の外面との間には、空間が形成され、
前記交差面は、前記第１差込み部の割れを防止する割れ防止部材に形成されている端面、又は、前記第１の管体に隣接して配置される別の管体に形成されている端面が接する面である。
【００１３】
前記第１本体部及び前記第１差込み部は、円筒状に形成され、
前記第１差込み部の外径は、前記第１本体部の外径よりも小さくてもよい。
【００１４】
第２本体部と、前記第２本体部から前記軸心方向に突出し、前記第１本体部に差し込まれる第２差込み部と、を有する第２の管体を備えていてもよい。
本発明の第２の観点に係る釣竿のグリップは、
釣竿の竿芯に取り付けられる釣竿のグリップであって、
前記竿芯の軸心方向に交差する交差面が形成されている第１本体部と、少なくとも一部が前記交差面から前記軸心方向に突出する第１差込み部と、を有する第１の管体を少なくとも一つ備え、
前記第１の管体の内面と前記竿芯の外面との間には、空間が形成され、
第２本体部と、前記第２本体部から前記軸心方向に突出し、前記第１本体部に差し込まれる第２差込み部と、を有する第２の管体を備える。
【００１５】
前記第１の管体に隣接して配置されている円筒状の第２の管体と、
前記第２の管体の内面と、前記竿芯の外面との間に配置されている少なくとも一つのブッシュと、
を備えていてもよい。
前記第１差込み部には、前記竿芯が嵌め込まれる竿芯用孔が形成され、
前記第１差込み部の前記竿芯用孔に前記竿芯が嵌め込まれることにより、前記第１本体部は前記竿芯に対して支持されていてもよい。
前記第１差込み部は、前記第１本体部に一体に形成されていてもよい。
前記第１差込み部は、前記第１本体部に対して別体に形成されていてもよい。
【００１６】
単一の前記第１の管体を一つ備え、
前記第１の管体の内周面と、前記竿芯の外面との間に配置されている少なくとも一つのブッシュを備えていてもよい。
【００１７】
前記第１の管体の前記第１本体部の表面に装着されるシート状のリールシート、又は、前記第１の管体の前記第１本体部の外周に嵌め込まれるパイプ状のリールシートを備えていてもよい。
【００１８】
前記第１差込み部に取り付けられることで、前記第１差込み部の割れを防止する割れ防止部材を備えていてもよい。
【００１９】
尻栓が嵌め込まれる尻栓配置空間が形成されていてもよい。
【００４９】
本発明の第３の観点に係る釣竿は、
釣竿の竿芯と、
前記竿芯に取り付けられる本発明の第１の観点、又は第２の観点に係る釣竿のグリップと、
を備える。
【発明の効果】
【００５０】
本発明によれば、釣竿のグリップの使い勝手を向上させることができる。これにより、実用に供した釣竿のグリップ及びそれを備える釣竿を提供することができる。
【図面の簡単な説明】
【００５１】
【図１】釣竿の要部（グリップ）を示した縮尺斜視図
【図２Ａ】釣竿の要部（グリップ）の一例（一案）を示した縮尺斜視図
【図２Ｂ】図１の一部（グリップを構成する短管体）を分解して示した縮尺斜視図
【図３−１】短管体の一例（一案）であって、竿芯の外周面との間に、空間を構成して被嵌し、（ａ）は断面図、（ｂ）は短管体とパイプ状のリールシートを簡略して示した断面図、（ｃ）はパイプ状のリールシートを備えたグリップを簡略して示した断面図
【図３−２Ａ】短管体の他の一例（一案の別の実施形態）であって、竿芯の外周面との間に、空間を構成して被嵌し、（ａ）は断面図、（ｂ）は短管体とパイプ状のリールシートを簡略して示した断面図、（ｃ）はパイプ状のリールシートを備えたグリップを簡略して示した断面図
【図３−２Ｂ】短管体の他の一例（二案）であって、竿芯の外周面との間に、空間を構成して被嵌した断面図
【図３−３】管体の一例（三案）であり、竿芯の外周面との間に、空間を構成して被嵌し、（ａ）は断面図、（ｂ）は短管体とパイプ状のリールシートを簡略して示した断面図、（ｃ）はパイプ状のリールシートを備えたグリップを簡略して示した断面図
【図３−４】リールシートの一例であり、（ａ）はパイプ状のリールシートの斜視図、（ｂ）はシート状のリールシートの斜視図
【図４−１】短管体の一例（一案）であり、（イ）は斜視図、（ロ）は一部切欠きの斜視図、（ハ）は断面図
【図４−２】短管体の他の一例（二案）であり、（イ）は短管体の斜視図、（ロ）は短管体の断面図、（ハ）は繋ぎ片の斜視図、（ニ）は繋ぎ片の断面図、（ホ）は繋ぎ片の別の一例の斜視図
【図４−３】短管体、又は繋ぎ片に空間を形成した他の一例であり、（イ）は短管体、（ロ）は繋ぎ片の斜視図
【図４−４】管体の一例であり、（イ）は一部省略の斜視図、（ロ）は一部切欠き・一部省略の斜視図、（ハ）は一部省略の断面図
【図４−５】キャップの一例であり、（イ）は斜視図、（ロ）は一部切欠きの斜視図、（ハ）は断面図
【図５−１】竿芯とリールシートの一例（四案）を示した断面図
【図５−２】竿芯とグリップ及びリールシートの一例（五案）を示した断面図
【図５−３】図５−２に示した補強パイプの平面図
【図５−４】図５−２に示した補強パイプの斜視図
【図６−１】竿芯と口金を備えたリールシートの一例（六案、七案）を示した断面図
【図６−２】補強パイプのその他の一例（六案、七案）を示した断面図
【図６−３】竿芯と口金を備えたリールシートの他の一例（六案、七案）を示した断面図
【図７】実施の形態１に係る釣竿のグリップ近傍の斜視図
【図８】（ａ）は、実施の形態１に係る竿芯及びグリップの断面図、（ｂ）は、実施の形態１に係る竿芯及びグリップについて、各部材を強調しつつ（ａ）を模式的に示した断面図
【図９】（ａ）は、実施の形態１に係る短管体（キャップ（第１の管体、第２の管体）の斜視図、（ｂ）は、（ａ）のＩＸ−ＩＸ´断面の断面図
【図１０】（ａ）は、実施の形態１に係るリールシートの斜視図、（ｂ）は、（ａ）のＸ−Ｘ´断面の断面図、（ｃ）は、実施の形態１の変形例１に係るリールシートの断面図
【図１１】（ａ）は、実施の形態１に係るグリップの効果を説明するための断面図、（ｂ）は、実施の形態１の変形例２に係るグリップの効果を説明するための断面図
【図１２】（ａ）は、実施の形態２に係る竿芯及びグリップの断面図、（ｂ）は、実施の形態２に係る竿芯及びグリップについて、各部材を強調しつつ（ａ）を模式的に示した断面図
【図１３】（ａ）は、実施の形態２に係るリールシートの斜視図、（ｂ）は、（ａ）のＸＩＩＩ−ＸＩＩＩ´断面の断面図、（ｃ）は、実施の形態２の変形例に係るリールシートの断面図
【図１４】実施の形態３に係る釣竿のグリップ近傍の斜視図
【図１５】（ａ）は、実施の形態３に係る竿芯及びグリップの断面図、（ｂ）は、実施の形態３に係る竿芯及びグリップについて、各部材を強調しつつ（ａ）を模式的に示した断面図
【図１６】（ａ）は、実施の形態３に係る短管体（キャップ、第１の管体）の斜視図、（ｂ）は、（ａ）のＸＶＩ−ＸＶＩ´断面の断面図
【図１７】（ａ）は、実施の形態３に係るリールシートの斜視図、（ｂ）は、（ａ）のＸＶＩＩ−ＸＶＩＩ´断面の断面図
【図１８】（ａ）は、実施の形態３に係る短管体（第２の管体）の斜視図、（ｂ）は、（ａ）のＸＶＩＩＩ−ＸＶＩＩＩ´断面の断面図
【図１９】（ａ）は、実施の形態３に係る短管体（第３の管体）の斜視図、（ｂ）は、（ａ）のＸＩＸ−ＸＩＸ´断面の断面図
【図２０】実施の形態３に係るグリップの効果を説明するための断面図
【図２１】比較例に係るグリップの断面図
【図２２】（ａ）は、実施の形態４に係る竿芯及びグリップの断面図、（ｂ）は、実施の形態４に係る竿芯及びグリップについて、各部材を強調しつつ（ａ）を模式的に示した断面図
【図２３】実施の形態５に係る竿芯及びグリップの断面図
【図２４】（ａ）は、実施の形態６に係る竿芯及びグリップの断面図、（ｂ）は、実施の形態６に係るシート状のリールシートの斜視図
【図２５】（ａ）は、実施の形態７に係る竿芯及びグリップの断面図、（ｂ）は、実施の形態７に係る補強パイプの斜視図、（ｃ）は切欠きが形成された補強パイプの一例の斜視図、（ｄ）は複数の切欠きが形成された補強パイプの一例の斜視図
【図２６】（ａ）は、実施の形態９に係るブッシュの斜視図、（ｂ）は、孔が形成されたブッシュの別の一例の斜視図、（ｃ）は、切欠きが形成されたブッシュのさらに別の一例の斜視図
【発明を実施するための形態】
【００５２】
図１〜図４−４において、１は釣竿Ａの竿芯であり、この竿芯１は、金属製、又は樹脂製、或いはグラスファイバー、炭素繊維強化複合材料の何れか、又は組み合わせで形成されている。そして、釣竿Ａとして必要とする耐性と可撓性を備える。この竿芯１の手元部１００には、グリップ２が設けられる。
【００５３】
そして、図２、図３−１（ａ）、図３−２Ｂ、及び図３−３（ａ）の各図は、木質製、又は金属製、樹脂製、或いはグラスファイバー、炭素繊維強化複合材料樹脂製の何れかで形成されているグリップ２が、複数本のリング状の短管体２００で構成されている。短管体２００は、図３−１（ａ）と図４−１に示した一案と、図３−２Ｂと図４−２に示した二案と、をそれぞれ一例として説明する。
【００５４】
（一案）
一案では、短管体２００の外周側２００ａの肉を、全周、又は一部等においてカットしたリング形態（リング形状）の差込み片２０１と、差込み片２０１に繋がるリング形態の外郭管体２０２とで形成し、差込み片２０１の内周面２０１ａが、中心に陥没し、かつ外郭管体２０２の内周面２０２ａが、内周面２０１ａの外側に位置する構造である。従って、差込み片２０１の外周面２０１ｂは、隣接する外郭管体２０２の内周面２０２ａに差込まれ、かつ支持される（例えば、密着するように支持される）。この差込み支持箇所には、接着剤３、止めリング、被嵌リング（図示しない）等の接着手段が施されて、両者（隣接する短管体２００同士）を固定する。この固定状態を、図３−１（ａ）、（ｂ）に示してある。尚、図２と図４−１（イ）〜（ハ）は、短管体２００の分解した模式図（斜視図）である。このグリップ２の外周面２ａには、美感と耐性、塩害防止、耐性等を目的として、塗料やエポキシ樹脂、ウレタン樹脂等の溶剤を添着する。但し、グリップ２のリールシート２ｂや、グリップ部２ｃには、防滑、耐性等を目的で、塗料やエポキシ樹脂、ウレタン樹脂等の溶剤を添着しないことも有り得る。図中５は尻栓を示している。この尻栓５は竿芯１の基部の内周面１ａの螺孔に螺着等される。そして、竿芯１の外周面１ｂと各外郭管体２０２の各内周面２０２ａ（各短管体２００の内周側２００ｂ）との間にはリング形態となる空間６がそれぞれ形成されるとともに、空間６を確保するように、竿芯１の外周面１ｂには、各差込み片２０１の各内周面２０１ａが、例えば、密着するように添接支持される。尚、短管体２００は必要とする数を連結する。図中７は、グリップ２の竿先に位置するキャップである。リング形態である。グリップ２、又はキャップ７の内周面と、竿芯１の外周面１ｂとの間にリング形態等の空間６を形成することも有り得る。尚、この空間６は、竿芯１の軸方向に限らず、図４−３（イ）、（ロ）の如く、グリップ２の放射方向や、その他の形態でも可能である。また、空間６は、図示の如く、リング形態（リング）に限らず、孔形態や軸方向のスリット形態でも可能である。図中竿芯１の内部には、一本（一鞘）〜複数本の穂先、又は中間竿を収容することもできる（図示しない）（以下、同じ）。また、グリップ２の差込み片２０１は、木質製の例では、木の割れを防止する。
【００５５】
（一案の詳細な説明）
以上の一案に係る釣竿Ａのグリップ２について、図２Ａ、図２Ｂ、図３−１、図３−４、図４−１、及び図４−５を用いて、更に詳述する。
【００５６】
図２Ａ及び図２Ｂに示す釣竿Ａのグリップ２は、釣竿Ａにおいて、釣り人が把持する部分である。釣竿Ａは、釣竿Ａの竿本体である竿芯１と、釣り糸を巻くリール１０と、上述のグリップ２と、を有する。
【００５７】
竿芯１は、魚を釣るために、釣り糸、ウキ、釣り針等とともに用いられ、図３−１に示すように、軸心方向Ａ１に延びる棒状の部材である。竿芯１は、例えば、少なくとも一部がグリップ２から突出する穂先側部分と、グリップ２が嵌め込まれる手元側部分と、の二つの部分から構成されている。グリップ２から突出する穂先側部分は、例えば、耐水性、ねじれ耐性等の釣竿Ａとして必要とする耐性と可撓性・弾性の素材、例えば、グラスファイバーにより形成されている。ただし、これに限られない。穂先側部分は、適度にしなる素材であればよく、例えば、カーボンにより形成されていてもよいし、グラスファイバーとカーボンとの複合素材により形成されていてもよい。グリップ２が嵌め込まれる手元側部分は、例えば、グリップ２を嵌め込むために、穂先側部分の素材よりも固い素材により形成されている。ただし、これに限られない。この手元側部分は、穂先側部分と同じ可撓性の素材により形成されていてもよいし、その他の素材により形成されていてもよい。手元側部分は、例えば、カーボンにより形成されているカーボンパイプであってもよい。さらには、手元側部分は、穂先側部分と一体的に形成されていてもよい。
【００５８】
図２Ａに示すリール１０は、釣り糸を巻いておき、ハンドルにより竿芯１の竿先から垂らす釣り糸の長さを調節する部材である。リール１０は、グリップ２のリールシート２ｂに係止して固定するための脚１０ａ、１０ｂを有する。
【００５９】
グリップ２は、図３−１に示すように、釣竿Ａの竿芯１に取り付けられている。グリップ２は、穂先側のキャップ２０（割れ防止部材）、キャップ７（第１の管体２００−１）と、短管体２００（第２の管体２００−２）と、短管体２００（第３の管体２００−３）と、短管体２００（第４の管体２００−４）と、尻栓螺合部材５−２と、尻栓５と、リールシート２ｂと、を備える。キャップ２０、第１の管体２００−１、第２の管体２００−２、第３の管体２００−３、第４の管体２００−４、尻栓螺合部材５−２、及び尻栓５は、穂先側から手元側（図３−１中の左側から右側）に、軸心方向Ａ１に沿って、その順に配置されている。
【００６０】
キャップ２０（割れ防止部材）は、グリップ２の最も穂先側（図３−１中の左側）を構成する部品である。キャップ２０は、例えば、樹脂又は金属により形成されている。キャップ２０は、木材により形成される第１の管体２００−１の差込み片２０１に取り付けられることで、差込み片２０１の割れを防止する。なお、キャップ２０は、差込み片２０１の割れを防止できる素材であれば、樹脂及び金属以外の素材により形成されていてもよい。
【００６１】
第１の管体２００−１（キャップ７）は、図３−１及び図４−５に示すように、竿芯１の元竿部に被嵌されている。また、第１の管体２００−１は、キャップ２０の手元側（図３−１中の右側）に隣接して配置されている。第１の管体２００−１は、軸心方向Ａ１に貫通する貫通孔が形成された円筒状に形成されている。第１の管体２００−１は、例えば、木質の素材、金属、樹脂、グラスファイバー、炭素繊維強化複合材料樹脂の何れかにより形成されている。好ましくは、第１の管体２００−１は、広葉樹、針葉樹等を削ることで形成された木管である。また、第１の管体２００−１は、これら広葉樹、針葉樹等を張り合わせた組木状態の木を削ることで形成された木管等であってもよい。第１の管体２００−１は、外郭管体２０２（第１本体部）と、差込み片２０１（第１差込み部）と、を有する。
【００６２】
第１の管体２００−１の外郭管体２０２は、その内径が、竿芯１の外径よりも大きい円筒状に形成されている。
【００６３】
第１の管体２００−１の差込み片２０１は、その内径が、竿芯１の外径と同等となる円筒状に形成されている。これにより、差込み片２０１は、竿芯１に支持され、結果として、第１の管体２００−１が、竿芯１の元竿部に被嵌されて支持される。差込み片２０１は、外郭管体２０２から軸心方向Ａ１に突出している。差込み片２０１は、例えば、外郭管体２０２の外周の端部の一部を削ることにより形成されることで、その外径が、外郭管体２０２の外径よりも小さく形成されている。この差込み片２０１には、キャップ２０が嵌め込まれている。一案においては、第１の管体２００−１は、木材からなる木管であるため、第１の管体２００−１の割れが課題となるが、このキャップ２０により、差込み片２０１の割れが防止され、ひいては、第１の管体２００−１全体の割れが防止される。
【００６４】
第２の管体２００−２（短管体２００）は、図３−１及び図４−１に示すように、第１の管体２００−1と共に、竿芯１の元竿部に被嵌されている。また、第２の管体２００−２は、第１の管体２００−１の手元側（図３−１中の右側）に隣接して配置されている。第２の管体２００−２は、第１の管体２００−１と同様に、軸心方向Ａ１に貫通する貫通孔が形成された円筒状に形成されている。第２の管体２００−２は、例えば、木質の素材、金属、樹脂、グラスファイバー、炭素繊維強化複合材料樹脂の何れかにより形成されている。好ましくは、第２の管体２００−２は、広葉樹、針葉樹等を削ることで形成された木管である。また、第２の管体２００−２は、これら広葉樹、針葉樹等を張り合わせた組木状態の木を削ることで形成された木管等であってもよい。第２の管体２００−２は、外郭管体２０２（第２本体部）と、差込み片２０１（第２差込み部）と、を有する。
【００６５】
第２の管体２００−２の外郭管体２０２は、その内径が、竿芯１の外径よりも大きい円筒状に形成されている。
【００６６】
第２の管体２００−２の差込み片２０１は、その内径が、竿芯１の外径と同等となる円筒状に形成されている。これにより、差込み片２０１は、竿芯１に支持され、結果として、第１の管体２００−１が、竿芯１の元竿部に被嵌されて支持される。差込み片２０１は、外郭管体２０２から軸心方向Ａ１に突出している。差込み片２０１は、例えば、外郭管体２０２の外周の端部の一部を削ることにより形成されることで、その外径が、外郭管体２０２の外径よりも小さく形成されている。この差込み片２０１は、第１の管体２００−１の外郭管体２０２に差し込まれている。
【００６７】
第３の管体２００−３（短管体２００）は、第１、第２の管体２００−１、２００−２と共に、竿芯１の元竿部に被嵌されている。第３の管体２００−３は、第２の管体２００−２と同じ形状に形成され、外郭管体２０２と、差込み片２０１と、を有する。第３の管体２００−３の差込み片２０１は、第２の管体２００−２の外郭管体２０２に差し込まれている。
【００６８】
第４の管体２００−４（短管体２００）は、第１〜第３の管体２００−１〜２００−３と共に、竿芯１の元竿部に被嵌されている。第４の管体２００−４は、第２、第３の管体２００−２、２００−３と同じ形状に形成され、外郭管体２０２と、差込み片２０１と、を有する。第４の管体２００−４の差込み片２０１は、第３の管体２００−３の外郭管体２０２に差し込まれている。
【００６９】
このように構成されていることで、第１〜第４の管体２００−１〜２００−４の外郭管体２０２の内周面２０２ａと、竿芯１の外周面１ｂとの間には、空間６が形成される。空間６は、第２〜第４の管体２００−２〜２００−４の差込み片２０１により、複数の空間６に、具体的には、この一案では、４つの空間６に区画されている。
【００７０】
尻栓５には、図３−１に示すように、雄ねじ面が形成されている。尻栓５は、グリップ２の手元側の端部（図３−１中の右側の端部）に形成されている尻栓配置空間に配置される。この尻栓配置空間は、第４の管体２００−４に嵌め込まれ、内周面が雌ねじ面として形成されている尻栓螺合部材５−２の内周面によって規定されている空間である。尻栓５は、第４の管体２００−４に嵌め込まれている尻栓螺合部材５−２に捻じ込まれて固定されている。
【００７１】
リールシート２ｂは、図３−１（ｂ）、（ｃ）及び図３−４（ａ）に示すように、軸心方向Ａ１に貫通する貫通孔が形成された円筒状に形成されている。リールシート２ｂは、例えば、リール１０を固定するパイプ状のものである。リールシート２ｂは、リールシート本体２ｂ３と、リールシートキャップ２ｂ４と、を有する。リールシート本体２ｂ３には、係止片２ｂ２が形成されている。リールシートキャップ２ｂ４は、リールシート本体２ｂ３に螺合又は嵌合され、係止片２ｂ１が形成されている。リールシートキャップ２ｂ４は、回転方向Ａ２に回転する回転部分２ｂ４−１と、回転しない非回転部分とを有する。回転部分２ｂ４−１が、回転方向Ａ２に回転されることにより、リールシートキャップ２ｂ４全体が、軸心方向Ａ１に進退する。これにより、係止片２ｂ１と係止片２ｂ２との間が、広がったり狭まったりする。リールシート２ｂは、第１〜第４の管体２００−１〜２００−４の少なくともいずれかの外郭管体２０２の外周に嵌め込まれている。また、リールシート２ｂは、例えば、単一の素材により形成される。リールシート２ｂは、例えば、樹脂により形成されている。リールシート２ｂの係止片２ｂ１、２ｂ２には、図２Ａに示すように、リール１０が有する脚１０ａ、１０ｂが係止される。これにより、リールシート２ｂは、リール１０を支持する。
【００７２】
以上、説明したように、一案に係る釣竿Ａのグリップ２においては、図２Ａ及び図３−１に示すように、第１〜第４の管体２００−１〜２００−４の外郭管体２０２の内周面２０２ａと、竿芯１の外周面１ｂとの間に、空間６が形成されている。この空間６により、竿芯１の穂先の振動、例えば、魚等が餌等を捕食している感触を、空間６を介して、グリップ２に伝達することができる。これにより、釣り人は、釣の醍醐味をより楽しむことができる。結果として、実用に供した釣竿Ａのグリップ２を提供することができる。
【００７３】
また、一案に係る釣竿Ａのグリップ２においては、第１の管体２００−１は、差込み片２０１を有し、この差込み片２０１が、竿芯１に支持されつつ、キャップ２０に差し込まれている。また、第２の管体２００−２は、差込み片２０１を有し、この差込み片２０１が、竿芯１に支持されつつ、隣接する第１の管体２００−１の外郭管体２０２に差し込まれている。同様に、第３、第４の管体２００−３、２００−４は、差込み片２０１を有し、この差込み片２０１が、竿芯１に支持されつつ、隣接する第２、第３の管体２００−２、２００−３の外郭管体２０２に差し込まれている。このため、別の一つの短管体２００を更に容易に加えたり、第１〜第４の管体２００−１〜２００−４のいずれかを除いたりして、別のサイズや形状のグリップ２を形成することができる。これにより、簡素な構造を有しつつ、実用に供した釣竿Ａのグリップ２を提供することができる。
【００７４】
また、一案においては、釣竿Ａのグリップ２は、第１の管体２００−１の差込み片２０１に取り付けられるキャップ２０を備える。この一案においては、第１の管体２００−１は、木材からなる木管であるため、第１の管体２００−１の割れが課題となる。しかしながら、このキャップ２０により、差込み片２０１の割れが防止され、ひいては、第１の管体２００−１全体の割れが防止される。
【００７５】
また、一案においては、第１〜第４の管体２００−１〜２００−４は、木材により形成されている。このため、釣り人にとって、水に濡れても滑りにくく、グリップ２を持った時の適度な温度、適度な柔らかさを確保できて、握り易くなる。また、グリップ２の軽量化を図ることができる。
【００７６】
なお、一案においては、図２Ｂに示すように、第１〜第４の管体２００−１〜２００−４のうち、第１の管体２００−１の形状のみが、他の第２〜第４の管体２００−２〜２００−４の形状と異なる。しかしながら、これに限られない。第１の管体２００−１の形状は、他の第２〜第４の管体２００−２〜２００−４の形状と同じであってもよい。
【００７７】
（一案の別の実施形態）
次に、「一案の別の実施形態」に係る釣竿Ａのグリップ２について、図３−２Ａを用いて詳述する。
【００７８】
「一案の別の実施形態」に係る釣竿Ａのグリップ２は、第２〜第４の管体２００−２〜２００−４の形状が異なる点と、ブッシュ８１を備える点とで、「一案」に係る釣竿Ａのグリップ２と相違する。
【００７９】
第２〜第４の管体２００−２〜２００−４は、差込み片２０１を有しない円筒状に形成されている。
【００８０】
ブッシュ８１は、リング状又は円筒形状に形成され、空間６内に配置されることにより、竿芯１に対して、第１〜第４の管体２００−１〜２００−４等を支持する部材である。この「一案の別の実施形態」に係る釣竿Ａのグリップ２は、３つのブッシュ８１を備える。３つのブッシュ８１のうち一つは、第１の管体２００−１の内周面２０２ａと第２の管体２００−２の内周面２０２ａとの境目と、竿芯１の外周面１ｂとの間に配置されている。また、一つのブッシュ８１は、第２の管体２００−２の内周面２０２ａと第３の管体２００−３の内周面２０２ａとの境目と、竿芯１の外周面１ｂとの間に配置されている。また、もう一つのブッシュ８１は、第３の管体２００−３の内周面２０２ａと第４の管体２００−４の内周面２０２ａとの境目と、竿芯１の外周面１ｂとの間に配置されている。「一案の別の実施形態」においては、釣竿Ａのグリップ２は、３つのブッシュ８１を備える。しかしながら、これに限られない。釣竿Ａのグリップ２は、第１〜第４の管体２００−１〜２００−４の内周面２０２ａのいずれかと、竿芯１の外周面１ｂとの間に、少なくとも一つのブッシュ８１を備えていればよい。
【００８１】
（二案）
二案は、差込み片２０１が、外郭管体２０２より分割（分離）した形態であり、差込み片２０１を繋ぎ片２０１−１とする。図３−２Ｂと図４−２の各図に示した二案の分解図を参照されたい。即ち、各繋ぎ片２０１−１の外周面２０１−１ｂで、かつその両側に、各外郭管体２０２を、それぞれ隣設するとともに、この各繋ぎ片２０１−１の内周面２０１−１ａは、竿芯１の外周面１ｂに、例えば、密着するように添接支持される。その他の構造は、前記一案に準ずる。この各繋ぎ片２０１−１は、木質製の例では、木の割れを防止する。
【００８２】
（二案の詳細な説明）
次に、二案に係る釣竿Ａのグリップ２について、図３−２Ｂ及び図４−２を用いて、更に詳述する。
【００８３】
二案に係る釣竿Ａのグリップ２は、第２〜第４の管体２００−２〜２００−４の形状が異なる点で、一案に係る釣竿Ａのグリップ２と相違する。
【００８４】
第２〜第４の管体２００−２〜２００−４は、図３−２Ｂ及び図４−２に示すように、軸心方向Ａ１に貫通孔を有する円筒状の外郭管体２０２と、外郭管体２０２の貫通孔に差し込まれる繋ぎ片２０１−１と、を有する。
【００８５】
なお、二案に係る釣竿Ａのグリップ２は、ブッシュ８１に代えて、繋ぎ片２０１−１が用いられている点で、図３−２Ａに示す「一案の別の実施形態」と実質的に相違しているともいえる。
【００８６】
（「一案」、「一案の別の実施形態」の変形例１）
「一案」、「一案の別の実施形態」に係るグリップ２においては、図４−１に示すように、第２〜第４の管体２００−２〜２００−４は、外郭管体２０２と、差込み片２０１と、を有する。しかしながら、これに限られない。「一案」、「一案の別の実施形態」に係るグリップ２は、図４−１に示す第２〜第４の管体２００−２〜２００−４に代えて、図４−２（イ）、（ロ）、（ハ）、（ニ）に示す短管体２００を備えるようにしてもよい。図４−２（イ）、（ロ）、（ハ）、（ニ）に示す短管体２００は、軸心方向Ａ１に貫通孔を有する円筒状の外郭管体２０２と、外郭管体２０２の貫通孔に差し込まれる繋ぎ片２０１−１と、を有する。
【００８７】
また、図４−２（ハ）に示す繋ぎ片２０１−１は、円筒状に形成されている。しかしながら、これに限られない。繋ぎ片２０１−１は、図４−２（ホ）に示すように、断面がＣ形状となるように、軸心方向Ａ１にスリットが形成されていてもよい。そして、この図４−２（ホ）に示す繋ぎ片２０１−１を、「一案」、「一案の別の実施形態」に係るグリップ２の第２〜第４の管体２００−２〜２００−４に適用してもよい。
【００８８】
また、図４−２（ハ）に示す繋ぎ片２０１−１は、円筒状に形成されている。しかしながら、これに限られない。繋ぎ片２０１−１は、図４−３（ロ）に示すように、軸心方向に直交する方向に貫通する孔が形成されていてもよい。そして、この図４−３（ロ）に示す繋ぎ片２０１−１を、「一案」、「一案の別の実施形態」に係るグリップ２の第２〜第４の管体２００−２〜２００−４に適用してもよい。
【００８９】
また、図４−２（イ）、（ロ）に示す短管体２００は、円筒状に形成されている。しかしながら、これに限られない。短管体２００は、図４−３（イ）に示すように、軸心方向Ａ１に直交する方向に貫通する孔が形成されていてもよい。そして、この図４−３（イ）に示す短管体２００を、「一案」、「一案の別の実施形態」に係るグリップ２の第２〜第４の管体２００−２〜２００−４に適用してもよい。
【００９０】
（三案）
また、図３−３と図４−４の各図は、三案であって、木質製、又は金属製、樹脂製、或いはグラスファイバー、炭素繊維強化複合材料樹脂製の何れかで形成されているグリップ２が、一つのリング状であって、細長い形態の管体２０００で構成されている。この管体２０００が、竿芯１の外周面１ｂに被嵌されている。そして、この管体２０００においても空間６を形成するためにブッシュ２００１を設ける構造である。その他の構造は、前記一・二案に準ずる。尚、管体２０００の先端内周面は、竿芯１との嵌合関係を確保することが望ましく、肉厚部を形成する（図３−１、図３−２Ｂのキャップ７も同じ）。
【００９１】
（三案の詳細な説明）
次に、三案に係る釣竿Ａのグリップ２について、図３−３（ａ）及び図４−４を用いて、更に詳述する。
【００９２】
三案に係る釣竿Ａのグリップ２は、第２〜第４の管体２００−２〜２００−４を有さずに、軸心方向Ａ１に長い管体２０００（第１の管体２００−１）を一つのみ備える点で、二案に係る釣竿Ａのグリップ２と相違する。
【００９３】
なお、三案に係る釣竿Ａのグリップ２は、３つのブッシュ８１を備える。３つのブッシュ８１は、長い管体２０００としての第１の管体２００−１の内周面と、竿芯１の外周面１ｂとの間に配置されている。三案においては、釣竿Ａのグリップ２は、３つのブッシュ８１を備えるが、これに限られない。釣竿Ａのグリップ２は、第１の管体２００−１の内周面と、竿芯１の外周面１ｂとの間に、少なくとも一つのブッシュ８１を備えていればよい。
【００９４】
（「一案」、及び「一案の別の実施形態」の変形例２、及び「三案」の変形例１）
「一案」、「一案の別の実施形態」、及び「三案」に係る釣竿Ａのグリップ２のリールシート２ｂは、図３−４（ａ）に示すように、第１〜第４の管体２００−１〜２００−４の少なくともいずれかの外郭管体２０２の外周に嵌め込まれているパイプ状のものである。しかしながら、これに限られない。グリップ２のリールシート２ｂは、図３−４（ｂ）に示すように、第１〜第４の管体２００−１〜２００−４の少なくともいずれかの外郭管体２０２の表面に装着されるシート状のものであってもよい。
【００９５】
（四案）
図５−１は、四案であって、竿芯１とリールシート２ｂの更に別の一例を示しており、この例におけるリールシート２ｂ（金属性、木質、樹脂、複合樹脂・繊維や、その他の素材でなる）は、前述の様に、一つのリング形状としたグリップ２の代替品であり、リング形状で、竿芯１が貫通する。この竿芯１の外周面１ｂとリールシート２ｂの内周面２ｂａとで空間６を作る。そして、このリールシート２ｂの構成は、図５−１の例では、リールシート２ｂの外周面２ｂｂ（周面方向は問わず。以下同じ）には、一方（穂先側であり、一例である）に可動側（一例である）の係止片２ｂ１を、他方（尻栓側であり、一例である）に固定側（一例である）の係止片２ｂ２をそれぞれ備えている。このリールシート２ｂは、リールシート本体２ｂ３と、リールシート本体２ｂ３の一方に螺着、嵌合等されるリールシートキャップ２ｂ４とでなる。係止片２ｂ１と係止片２ｂ２でリール１０の脚１０ａ、１０ｂを係止する。そのために、リールシート本体２ｂ３の外周面２ｂｂとリールシートキャップ２ｂ４の他方には、他方に向かった隙間１０ｃを形成し、リールシート本体２ｂ３の他方には、その一方に向かった隙間１０ｄが形成されている。その他の構造は、原則として、前記一〜三案に準ずる。
【００９６】
（「一案」の変形例３）
なお、「一案」に係るグリップ２においては、図３−１（ｂ）、（ｃ）及び図３−４（ａ）に示すように、リールシート２ｂは、リールシートキャップ２ｂ４を、手元側（図中右側）に向くように、竿芯１に対して配置されている。しかしながら、これに限られない。これとは逆に、図５−１に示す四案と同じように、リールシート２ｂは、リールシートキャップ２ｂ４を、穂先側（図中左側）に向くように、竿芯１に対して配置されていてもよい。
【００９７】
（五案）
また、図５−２〜図５−４の各図は、五案であって、竿芯１とグリップ２、又はリールシート２ｂの更にその他の一例を示しており、前述したグリップ２の方式を採用する。原則として、複数のリング形状を想定した構造である（一例である）。キャップ７と、短管体２００、及び、補強パイプ８等の組み合わせ構造であって、リールシート２ｂを備える。尚、リールシート２ｂの材質は、金属製、木質製、その他の素材でなる。この補強パイプ８は、図５−３、図５−４に詳細を示すが、竿芯１の誘導、又は竿芯１がグラスファイバー等の可撓性で、グリップ２が木質等の耐性の組合せ時のギャップ回避（撓み時の撓みギャップや、グリップ２の撓み時の亀裂防止等）を図る。従って、必要時にのみ組み合わせることを意図する（一例である）。また、補強パイプ８は、グリップ２、又はリールシート２ｂの間に設置するが、尻栓５に到ることも有り得る。図中８０は補強パイプ８の切欠きであり、この切欠き８０は、例えば、長手方向の略全体に形成されており、切欠き８０には、後述するブッシュ（ガイド）８１による抱持、遊嵌等を活用し、穂先（図示しない）の差込み、及び／又は、支持と、補強パイプ８の縮径や可撓性等を担う。前記穂先の抱持は、例えば、切欠き８０の切欠き端辺８０ａ、８０ｂと補強パイプ８の内周面８ａに内設した、一個又は複数個設けられたブッシュ８１により可能とする。このブッシュ８１は、補強パイプ８の保護と、穂先の差込みを許し、かつ抱持、及び／又は、保護する。また、ブッシュ８１を設けることにより、竿芯１の外周面１ｂと、補強パイプ８の内周面８ａの間に、空間６を形成する構造である。さらに、補強パイプ８は、原則として、この一例では、可撓性樹脂、薄肉形態であり、竿芯１と短管体２００、及びリールシート２ｂの間に設置される。その他の構造は、原則として、前記一〜四案に準ずる。
【００９８】
（「一案」の変形例４、「一案の別の実施形態」の変形例３、及び「三案」の変形例２）
図５−２の五案に係る釣竿Ａのグリップ２は、補強パイプ８を有する点以外では、図３−１、図３−２Ａ、図３−３に示す「一案」、「一案の別の実施形態」、及び「三案」に係る釣竿Ａのグリップ２と実質的に同一の構造を有するものである。「一案」、「一案の別の実施形態」、及び「三案」に係る釣竿Ａのグリップ２は、図５−２を参照すると分かるように、更に、補強パイプ８を有していてもよい。
【００９９】
（六案、七案）
図６−１〜図６−３の各図は、六案・七案であって、穂先側のキャップ７、及び／又は、竿芯１の手元側のキャップ７´に補強と、竿芯１と短管体２００の連繋強化等を図る。その一例を説明すると、六案では、キャップ７の先端側に嵌合凹凸部を形成し、この嵌合凹凸部にキャップ（口金）２０の嵌合凹凸部を嵌合支持する。この嵌合支持を利用して、このキャップ７とキャップ２０を一体化する。これにより、両者の一体化と固定が確立しつつ、強度の向上が可能となり、かつ水の侵入防止等に有効である。また、七案では、穂先側のキャップ２０に加えて、手元側にもキャップ２０´を設け、キャップ２０´とキャップ７´、及び／又は、竿芯１との関係においても、両者の一体化と固定を確立しつつ、強度の向上が可能となり、かつ水の侵入防止等に有効である。その他の構造は、原則として、前記一〜五案に準ずる。また、前記一〜五案の釣竿Ａに、キャップ２０、２０´を設けることも可能である。尚、キャップ７、７´とキャップ２０、２０´の関係は、短管体２００とキャップ２０、２０´の関係においても採用できる。また効果は、同じである。さらに、図示しないが、短管体２００とキャップ２０、２０´の関係は、隣設する短管体２００間においてもキャップ２０、２０´を嵌合して利用できる。また効果は、同じである。その他の構造は、原則として、前記一〜五案に準ずる。
【０１００】
そして、本発明は、竿芯１の外周面１ｂとグリップ２の内周面２０２ａ、及び／又はリールシート２ｂの内周面２ｂａとの間に、空間６を形成する構成であり、穂先（竿先）等の振動（魚等が餌等を捕食している感触）を、例えば、木質製のグリップ２に伝達可能としたので、釣の醍醐味を楽しめる。また、楽しみも向上することが考えられる。さらに、グリップ２を、木質製素材とすることで、下記の利点がある。
１）水に濡れても滑りにくいこと。
２）持った時の適度な温度、適度な柔らかさを確保できて、握り易いこと。
３）薄くすること、材質に合わせることで、軽量化が可能であること。
４）デザインのバリエーションが限られないことと、自由な形態と作業とを満喫できること。やや手に伝わる感触が敏感であること。
５）また、例えば、木の温もりと、柔らかさを楽しめる。疲労が少ないこと。
６）木質や、木目の特長を利用し、工芸品としての特徴が出し易く、又は、木を組み合わせることによって、自然の木の色を楽しむことや、寄木細工的な楽しみが可能となること。
【０１０１】
（他の変形例）
上記各実施の形態及び各案においては、ブッシュ８１は、リング状又は円筒形状に形成されている。しかしながら、これに限られない。ブッシュ８１には、軸心方向Ａ１に直交する方向に貫通する孔が形成されていてもよい。また、ブッシュ８１には、少なくとも一方の軸心方向Ａ１の端部から切り欠かれた切欠きが形成されていてもよい。また、ブッシュ８１には、孔と切欠きとの両方が形成されていてもよい。
【０１０２】
（実施の形態１）
以下、本発明の実施の形態１に係る釣竿Ａのグリップ２について、図７〜図１１を用いて説明する。図７に示す釣竿Ａのグリップ２は、釣竿Ａにおいて、釣り人が把持する部分である。釣竿Ａは、上述のグリップ２に加えて、釣竿Ａの竿本体である竿芯１と、釣り糸を巻くリール１０と、を有する。
【０１０３】
竿芯１は、魚を釣るために、釣り糸、ウキ、釣り針等とともに用いられ、軸心方向Ａ１に延びる棒状の部材である。竿芯１は、例えば、少なくとも一部がグリップ２から突出する穂先側部分と、グリップ２が嵌め込まれる手元側部分と、の二つの部分から構成されている。グリップ２から突出する穂先側部分は、例えば、耐水性、ねじれ耐性等の釣竿Ａとして必要とする耐性と、可撓性・弾性の素材、例えば、グラスファイバーにより形成されている。ただし、これに限られない。穂先側部分は、適度にしなる素材であればよく、例えば、カーボンにより形成されていてもよいし、グラスファイバーとカーボンとの複合素材により形成されていてもよい。グリップ２が嵌め込まれる手元側部分は、例えば、グリップ２を嵌め込むために、穂先側部分の素材よりも固い素材により形成されている。ただし、これに限られない。この手元側部分は、穂先側部分と同じ可撓性の素材により形成されていてもよいし、その他の素材により形成されていてもよい。手元側部分は、例えば、カーボンにより形成されているカーボンパイプであってもよい。手元側部分は、穂先側部分と一体的に形成されていてもよい。
【０１０４】
リール１０は、釣り糸を巻いておき、ハンドルにより竿芯１の竿先から垂らす釣り糸の長さを調節する部材である。リール１０は、グリップ２のリールシート２ｂに係止して固定するための脚１０ａ、１０ｂを有する。
【０１０５】
グリップ２は、図８に示すように、釣竿Ａの竿芯１に取り付けられている。グリップ２は、穂先側のキャップ２０（割れ防止部材）、穂先側のキャップ７（短管体２００（第１の管体２００−１））と、リールシート２ｂと、手元側の短管体２００（第２の管体２００−２）と、キャップ７´と、手元側のキャップ２０´と、ブッシュ８１と、を備える。キャップ２０、第１の管体２００−１、円筒状のリールシート２ｂ、第２の管体２００−２、キャップ７´及びキャップ２０´は、穂先側から手元側（図８中の左側から右側）に向かって、軸心方向Ａ１に沿って、その順に配置されている。
【０１０６】
キャップ２０（割れ防止部材）は、グリップ２の最も穂先側（図８中の左側）を構成する部品である。キャップ２０は、例えば、樹脂又は金属により形成されている。キャップ２０は、木材により形成される第１の管体２００−１の差込み片２０１に取り付けられることで、差込み片２０１の割れを防止する。なお、キャップ２０は、差込み片２０１の割れを防止できる素材であれば、樹脂及び金属以外の素材により形成されていてもよい。
【０１０７】
第１の管体２００−１（キャップ７、短管体２００）は、図８及び図９に示すように、竿芯１の元竿部に被嵌されている。また、第１の管体２００−１は、キャップ２０の手元側（図８中の右側）に隣接して配置されている。第１の管体２００−１は、軸心方向Ａ１に貫通する貫通孔が形成された円筒状に形成されている。第１の管体２００−１は、例えば、木質の素材、金属、樹脂、グラスファイバー、炭素繊維強化複合材料樹脂の何れかにより形成されている。好ましくは、第１の管体２００−１は、広葉樹、針葉樹等を削ることで形成された木管である。また、第１の管体２００−１は、これら広葉樹、針葉樹等を張り合わせた組木状態の木を削ることで形成された木管等であってもよい。第１の管体２００−１は、外郭管体２０２（第１本体部）と、差込み片２０１と、差込み片２０３（第１差込み部）と、を有する。
【０１０８】
第１の管体２００−１の外郭管体２０２は、その内径が、竿芯１の外径よりも大きい円筒状に形成されている。
【０１０９】
第１の管体２００−１の差込み片２０３は、その内径が、竿芯１の外径よりも大きい円筒状に形成されている。差込み片２０３の内周面は、外郭管体２０２の内周面２０２ａと同様に、竿芯１から離間している。また、差込み片２０３は、外郭管体２０２から軸心方向Ａ１に突出している。差込み片２０３は、リールシート２ｂの貫通孔に差し込まれている。差込み片２０３は、例えば、外郭管体２０２の外周の端部の一部を削ることにより形成される。これにより、差込み片２０３は、その外径Ｗ３が、外郭管体２０２の外径Ｗ２よりも小さく形成されている。
【０１１０】
第１の管体２００−１の差込み片２０１は、その内径が、竿芯１の外径と同等となる円筒状に形成されている。これにより、差込み片２０１は、竿芯１に支持され、結果として、第１の管体２００−１が、竿芯１の元竿部に被嵌されて支持される。差込み片２０１は、外郭管体２０２から、差込み片２０３が突出する方向とは逆方向に突出している。差込み片２０１は、例えば、外郭管体２０２の外周の端部の一部を削ることにより形成される。この差込み片２０１には、キャップ７が嵌め込まれている。本実施の形態１においては、第１の管体２００−１は、木材からなる木管であるため、第１の管体２００−１の割れが課題となるが、このキャップ７により、差込み片２０１の割れが防止され、ひいては、第１の管体２００−１全体の割れが防止される。
【０１１１】
リールシート２ｂは、図８及び図１０（ａ）、（ｂ）に示すように、軸心方向Ａ１に貫通する貫通孔が形成された円筒状に形成されている。リールシート２ｂは、例えば、リール１０を固定するパイプ状のものであり、第１の管体２００−１の手元側（図８中の右側）に隣接して配置されている。リールシート２ｂは、リールシート本体２ｂ３と、リールシートキャップ２ｂ４と、を有する。リールシート本体２ｂ３には、係止片２ｂ２が形成されている。リールシートキャップ２ｂ４は、リールシート本体２ｂ３に螺合又は嵌合され、係止片２ｂ１が形成されている。リールシートキャップ２ｂ４は、回転方向Ａ２に回転する回転部分２ｂ４−１と、回転しない非回転部分とを有する。回転部分２ｂ４−１が、回転方向Ａ２に回転されることにより、リールシートキャップ２ｂ４全体が、軸心方向Ａ１に進退する。これにより、係止片２ｂ１と係止片２ｂ２との間が、広がったり狭まったりする。また、リールシート２ｂは、例えば、単一の素材により形成される。リールシート２ｂは、例えば、樹脂により形成されている。リールシート２ｂの係止片２ｂ１、２ｂ２には、リール１０が有する脚１０ａ、１０ｂが係止される。これにより、リールシート２ｂは、リール１０を支持する。リールシート２ｂの貫通孔の径Ｄ１は、竿芯１の元竿部の外径Ｗ１よりも大きい。
【０１１２】
このように構成されていることで、リールシート２ｂの貫通孔の内周面２ｂａと、竿芯１の外周面１ｂとの間には、空間６が形成される。
【０１１３】
第２の管体２００−２（短管体２００）は、図８及び図９に示すように、第１の管体２００−１と共に、竿芯１の元竿部に被嵌されている。また、第２の管体２００−２は、リールシート２ｂの手元側（図８中の右側）に隣接して配置されている。第２の管体２００−２は、竿芯１の軸心方向Ａ１に貫通する貫通孔が形成された円筒状に形成されている。第２の管体２００−２は、例えば、木質の素材、金属、樹脂、グラスファイバー、炭素繊維強化複合材料樹脂の何れかにより形成されている。好ましくは、第２の管体２００−２は、広葉樹、針葉樹等を削ることで形成された木管である。また、第２の管体２００−２は、これら広葉樹、針葉樹等を張り合わせた組木状態の木を削ることで形成された木管等であってもよい。第２の管体２００−２は、外郭管体２０２（第２本体部）と、差込み片２０１と、差込み片２０３（第２差込み部）と、を有する。
【０１１４】
第２の管体２００−２の外郭管体２０２は、その内径が、竿芯１の外径よりも大きい円筒状に形成されている。
【０１１５】
第２の管体２００−２の差込み片２０３は、その内径が、竿芯１の外径よりも大きい円筒状に形成されている。差込み片２０３の内周面は、外郭管体２０２の内周面２０２ａと同様に、竿芯１から離間している。また、差込み片２０３は、外郭管体２０２から軸心方向Ａ１に突出している。差込み片２０３は、リールシート２ｂの貫通孔に差し込まれている。差込み片２０３は、例えば、外郭管体２０２の外周の端部の一部を削ることにより形成される。これにより、差込み片２０３は、その外径Ｗ３が、外郭管体２０２の外径Ｗ２よりも小さく形成されている。
【０１１６】
第２の管体２００−２の差込み片２０１は、その内径が、竿芯１の外径と同等となる円筒状に形成されている。これにより、差込み片２０１は、竿芯１に支持され、結果として、第１の管体２００−１が、竿芯１の元竿部に被嵌されて支持される。差込み片２０１は、外郭管体２０２から、差込み片２０３が突出する方向とは逆方向に突出している。差込み片２０１は、例えば、外郭管体２０２の外周の端部の一部を削ることにより形成される。この差込み片２０１には、キャップ７´が嵌め込まれている。本実施の形態１においては、第２の管体２００−２は、木材からなる木管であるため、第２の管体２００−２の割れが課題となるが、このキャップ７´により、差込み片２０１の割れが防止され、ひいては、第２の管体２００−２全体の割れが防止される。
【０１１７】
キャップ７´は、第２の管体２００−２の手元側（図８中の右側）に隣接して配置されている円筒状の部品である。キャップ７´は、例えば、木質の素材、金属、樹脂、グラスファイバー、炭素繊維強化複合材料樹脂の何れかにより形成されている。好ましくは、キャップ７´は、広葉樹、針葉樹等を削ることで形成された木管である。また、キャップ７´は、これら広葉樹、針葉樹等を張り合わせた組木状態の木を削ることで形成された木管等であってもよい。キャップ７´は、木材により形成される第２の管体２００−２の差込み片２０１に取り付けられることで、差込み片２０１の割れを防止する。なお、キャップ７´は、差込み片２０１の割れを防止できる素材であれば、樹脂及び金属以外の素材により形成されていてもよい。キャップ７´は、外郭管体と、外郭管体から軸心方向Ａ１に突出した差込み片と、を有する。
【０１１８】
キャップ２０´は、グリップ２の最も手元側（図８中の右側）を構成する部品である。キャップ２０´は、例えば、樹脂又は金属により形成されている。キャップ２０は、木材により形成されるキャップ７´の差込み片に取り付けられることで、キャップ７´の差込み片の割れを防止する。なお、キャップ２０´は、キャップ７´の差込み片の割れを防止できる素材であれば、樹脂及び金属以外の素材により形成されていてもよい。
【０１１９】
ブッシュ８１は、リング状又は円筒形状に形成され、空間６内に配置されることにより、竿芯１に対して、リールシート２ｂ等を支持する部材である。ブッシュ８１は、第１の管体２００−１、第２の管体２００−２及びリールシート２ｂのそれぞれの内周面と、竿芯１の外周面１ｂとの間に配置されている。本実施の形態１に係る釣竿Ａのグリップ２は、３つのブッシュ８１を備える。３つのブッシュ８１のうち一つは、第１の管体２００−１の内周面２０２ａと、竿芯１の外周面１ｂとの間に配置されている。また、一つのブッシュ８１は、第２の管体２００−２の内周面２０２ａと、竿芯１の外周面１ｂとの間に配置されている。また、もう一つのブッシュ８１は、リールシート２ｂの内周面２ｂａと、竿芯１の外周面１ｂとの間に配置されている。本実施の形態１においては、釣竿Ａのグリップ２は、３つのブッシュ８１を備える。しかしながら、これに限られない。釣竿Ａのグリップ２は、第１の管体２００−１、第２の管体２００−２及びリールシート２ｂの少なくとも一つの内周面と、竿芯１の外周面１ｂとの間に、少なくとも一つのブッシュ８１を備えていればよい。
【０１２０】
以上、説明したように、本実施の形態１に係る釣竿Ａのグリップ２においては、図１１（ａ）に示すように、リールシート２ｂの貫通孔の内周面２ｂａは、接触部分Ｃにおいて、第１の管体２００−１の差込み片２０３の外周面に接触する。また、リールシート２ｂの貫通孔の内周面２ｂａは、接触部分Ｃにおいて、第２の管体２００−２の差込み片２０３の外周面に接触する。このため、第１の管体２００−１と、第２の管体２００−２との間の部分に別の部材を配置していなくても、簡素な構造を有しつつ、第１、第２の管体２００−１、２００−２に対して、リールシート２ｂを安定して配置することが実現できる。これにより、実用に供した釣竿Ａのグリップ２を提供することができる。
【０１２１】
一方、上記特許文献１、２に係るものにおいては、リールシートを安定して配置することが難しいという課題がある。
【０１２２】
本実施の形態１に係る発明は、上述の事情の下になされたもので、リールシートを安定して配置することができる釣竿のグリップを提供している。
【０１２３】
また、本実施の形態１に係る釣竿Ａのグリップ２は、第１の管体２００−１と、第１の管体２００−１から軸心方向Ａ１に離間する第２の管体２００−２と、第１、第２の管体２００−１、２００−２の間に配置されているリールシート２ｂとを備える。このため、第１、第２の管体２００−１、２００−２とは別の一つの短管体２００（第３の管体）を更に加えたり、複数の短管体２００（第３、第４の管体）を更に加えたりすることができる。これにより、釣竿Ａのグリップ２の軸心方向Ａ１の長さや、グリップ２の径を、釣り人の好みに合わせて適宜調整することができる。ひいては、実用に供した釣竿Ａのグリップ２を提供することができる。
【０１２４】
また、釣竿Ａのグリップ２は、第１、第２の管体２００−１、２００−２の差込み片２０１に取り付けられるキャップ２０、７´を備える。本実施の形態１においては、第１、第２の管体２００−１、２００−２は、木材からなる木管であるため、第１、第２の管体２００−１、２００−２の割れが課題となる。しかしながら、キャップ２０、７´により、差込み片２０１の割れが防止され、ひいては、第１、第２の管体２００−１、２００−２全体の割れが防止される。
【０１２５】
また、本実施の形態１においては、リールシート２ｂの貫通孔の内周面２ｂａと、竿芯１の外周面１ｂとの間には、空間６が形成されている。このため、穂先の振動、例えば、魚等が餌等を捕食している感触を、空間６を介して、グリップ２に伝達することができる。これにより、釣り人は、釣の醍醐味をより楽しむことができる。
【０１２６】
また、本実施の形態１においては、第１、第２の管体２００−１、２００−２は、木材により形成されている。このため、釣り人にとって、水に濡れても滑りにくく、グリップ２を持った時の適度な温度、適度な柔らかさを確保できて、握り易くなる。また、グリップ２の軽量化を図ることができる。
【０１２７】
なお、本実施の形態１においては、リールシート２ｂの貫通孔の径Ｄ１は、図１０（ａ）、（ｂ）に示すように、穂先側から手元側まで一定である。しかしながら、これに限られない。図１０（ｃ）の実施の形態１の変形例１に示すように、リールシート２ｂの端部には、第１の管体２００−１の差込み片２０３が嵌め込まれる被嵌合部２ｂｃが形成されてもよい。被嵌合部２ｂｃは、例えば、リールシート２ｂの内周面２ｂａの一部を削ることにより形成される。
【０１２８】
また、本実施の形態１においては、第１、第２の管体２００−１、２００−２の差込み片２０３は、リールシート２ｂの貫通孔に差し込まれつつ、リールシート２ｂの貫通孔の内周面２ｂａは、接触部分Ｃにおいて、第１の管体２００−１の差込み片２０３の外周面と、第２の管体２００−２の差込み片２０３の外周面とに接触する。しかしながら、これに限られない。図１１（ｂ）に示す変形例２のように、第１、第２の管体２００−１、２００−２が差込み片２０３を有さずに、リールシート２ｂの貫通孔の内周面２ｂａが、接触部分Ｃにおいて、第１の管体２００−１の外郭管体２０２の外周面と、第２の管体２００−２の外郭管体２０２の外周面とに接触するようにしてもよい。
【０１２９】
（実施の形態２）
以下、本発明の実施の形態２に係る釣竿Ａのグリップ２について、図１２及び図１３（ａ）、（ｂ）を用いて説明する。釣竿Ａのグリップ２は、リールシート２ｂの構造が異なる点で、上述の実施の形態１に係るものと相違する。なお、実施の形態２に係る釣竿Ａのグリップ２において、実施の形態１に係るものと同一又は同等の構成については、同一の符号を用いて、その説明を省略する。
【０１３０】
実施の形態２に係るグリップ２は、実施の形態１に係るものと同様に、釣竿Ａの竿芯１に取り付けられている。グリップ２は、穂先側のキャップ２０と、第１の管体２００−１と、リールシート２ｂと、第２の管体２００−２と、キャップ７´と、手元側のキャップ２０´と、ブッシュ８１と、を備える。リールシート２ｂ以外の各部材は、実施の形態１に係るものと同一のものである。
【０１３１】
リールシート２ｂは、実施の形態１に係るものと異なり、リールシート本体部と、フレームパイプ２ｂ５と、を有する。
【０１３２】
リールシート本体部は、円筒状のものであり、例えば、樹脂により形成されている。ただし、これに限られず、リールシート本体部の素材は、樹脂以外のものであってもよい。
【０１３３】
フレームパイプ２ｂ５は、リールシート本体部の円筒状の内周面に密着することで、リールシート本体部に一体的に設けられている。このフレームパイプ２ｂ５は、リールシート２ｂの剛性を高めるために設けられている。
【０１３４】
以上、説明したように、本実施の形態２に係る釣竿Ａのグリップ２において、リールシート２ｂは、フレームパイプ２ｂ５を有する。このため、リールシート２ｂの剛性を高めることができ、ひいては、実用に供した釣竿Ａのグリップ２を提供することができる。また、本実施の形態２に係る釣竿Ａのグリップ２においても、実施の形態１に係るものと同等の効果を奏することができる。
【０１３５】
なお、本実施の形態２においては、リールシート２ｂの貫通孔の径Ｄ１は、図１３（ａ）、（ｂ）に示すように、穂先側から手元側まで一定である。しかしながら、これに限られない。図１３（ｃ）に示す実施の形態２の変形例のように、リールシート２ｂの端部には、第１の管体２００−１の差込み片２０３が嵌め込まれる被嵌合部２ｂｃが形成されてもよい。被嵌合部２ｂｃは、例えば、リールシート２ｂの内周面２ｂａの一部を削ることにより形成される。
【０１３６】
（実施の形態１、２の変形例１）
本実施の形態１、２に係る釣竿Ａのグリップ２においては、図９に示すように、第１、第２の管体２００−１、２００−２は、外郭管体２０２（第１、第２本体部）と、差込み片２０１と、差込み片２０３（第１、第２差込み部）と、を有する。しかしながら、これに限られない。本実施の形態１に係るグリップ２は、図９に示す第１、第２の管体２００−１、２００−２に代えて、図４−２（イ）〜（ニ）に示す短管体２００を備えるようにしてもよい。図４−２（イ）〜（ニ）に示す短管体２００は、図４−２（イ）、（ロ）に示す、軸心方向Ａ１に貫通孔を有する円筒状の外郭管体２０２（第１、第２本体部）と、図４−２（ハ）、（ニ）に示す、外郭管体２０２の貫通孔に差し込まれると共に、リールシート２ｂの貫通孔又は外郭管体２０２の貫通孔に差し込まれる繋ぎ片２０１−１（第１、第２繋ぎ部）と、を有する。
【０１３７】
また、図４−２（ハ）に示す繋ぎ片２０１−１は、円筒状に形成されている。しかしながら、これに限られない。繋ぎ片２０１−１は、図４−２（ホ）に示すように、断面がＣ形状となるように、軸心方向にスリットが形成されていてもよい。そして、この図４−２（ホ）に示す繋ぎ片２０１−１（第１、第２繋ぎ部）を、本実施の形態１、２に係るグリップ２の第１、第２の管体２００−１、２００−２に適用してもよい。
【０１３８】
また、図４−２（ハ）に示す繋ぎ片２０１−１は、円筒状に形成されている。しかしながら、これに限られない。繋ぎ片２０１−１は、図４−３（ロ）に示すように、軸心方向Ａ１に直交する方向に貫通する孔が形成されていてもよい。そして、この図４−３（ロ）に示す繋ぎ片２０１−１（第１、第２繋ぎ部）を、本実施の形態１、２に係るグリップ２の第１、第２の管体２００−１、２００−２に適用してもよい。
【０１３９】
また、図４−３（イ）に示す短管体２００は、円筒状に形成されている。しかしながら、これに限られない。短管体２００は、図４−３（イ）に示すように、軸心方向Ａ１に直交する方向に貫通する孔が形成されていてもよい。そして、この図４−３（イ）に示す短管体２００を、本実施の形態１、２に係るグリップ２の第１、第２の管体２００−１、２００−２として適用してもよい。
【０１４０】
（実施の形態１の変形例２）
なお、実施の形態１に係る釣竿Ａのグリップ２においては、図８及び図１０（ａ）、（ｂ）に示すように、リールシート２ｂは、リールシートキャップ２ｂ４を、手元側（図中右側）に向くように、竿芯１に対して配置されている。しかしながら、これに限られない。これとは逆に、図５−１に示す四案と同じように、リールシート２ｂは、リールシートキャップ２ｂ４を、穂先側（図中左側）に向くように、竿芯１に対して配置されていてもよい。
【０１４１】
（実施の形態１、２の変形例２）
図５−２の五案に係るグリップ２は、補強パイプ８を有する点以外では、図７〜図１０に示す実施の形態１に係るグリップ２、図１１及び図１２に示す実施の形態２に係るグリップ２とそれぞれ実質的に同一のものである。したがって、実施の形態１、２に係るグリップ２は、第１、第２の管体２００−１、２００−２及びリールシート２ｂ等に加えて、更に、補強パイプ８を有していてもよい。
【０１４２】
（実施の形態３）
以下、本発明の実施の形態３に係る釣竿Ａのグリップ２について、図１４〜図２０を用いて説明する。図１４に示す釣竿Ａのグリップ２は、釣竿Ａにおいて、釣り人が把持する部分である。釣竿Ａは、上述のグリップ２に加えて、釣竿Ａの竿本体である竿芯１と、釣り糸を巻くリール１０と、を有する。
【０１４３】
竿芯１は、魚を釣るために、釣り糸、ウキ、釣り針等とともに用いられ、軸心方向Ａ１に延びる棒状の部材である。竿芯１は、例えば、少なくとも一部がグリップ２から突出する穂先側部分と、グリップ２が嵌め込まれる手元側部分と、の二つの部分から構成されている。グリップ２から突出する穂先側部分は、例えば、耐水性、ねじれ耐性等の釣竿Ａとして必要とする耐性と可撓性・弾性の素材、例えば、グラスファイバーにより形成されている。ただし、これに限られない。穂先側部分は、適度にしなる素材であればよく、例えば、カーボンにより形成されていてもよいし、グラスファイバーとカーボンとの複合素材により形成されていてもよい。グリップ２が嵌め込まれる手元側部分は、例えば、グリップ２を嵌め込むために、穂先側部分の素材よりも固い素材により形成されている。ただし、これに限られない。この手元側部分は、穂先側部分と同じ可撓性の素材により形成されていてもよいし、その他の素材により形成されていてもよい。手元側部分は、例えば、カーボンにより形成されているカーボンパイプであってもよい。さらには、手元側部分は、穂先側部分と一体的に形成されていてもよい。
【０１４４】
リール１０は、釣り糸を巻いておき、ハンドルにより竿芯１の竿先から垂らす釣り糸の長さを調節する部材である。リール１０は、グリップ２のリールシート２ｂに係止して固定するための脚１０ａ、１０ｂを有する。
【０１４５】
グリップ２は、図１５に示すように、釣竿Ａの竿芯１に取り付けられている。グリップ２は、穂先側のキャップ２０（割れ防止部材）、穂先側のキャップ７（短管体２００（第１の管体２００−１））と、リールシート２ｂと、短管体２００（第２の管体２００−２）と、手元側の短管体２００（第３の管体２００−３）と、手元側のキャップ２０´と、補強パイプ８と、を備える。キャップ２０、第１の管体２００−１、円筒形状のリールシート２ｂ、第２の管体２００−２、及びキャップ２０´は、穂先側から手元側（図１５中の左側から右側）に向かって、軸心方向Ａ１に沿って、その順に配置されている。
【０１４６】
キャップ２０（割れ防止部材）は、グリップ２の最も穂先側（図１５中の左側）を構成する部品である。キャップ２０は、例えば、樹脂又は金属により形成されている。キャップ２０は、木材により形成される第１の管体２００−１の差込み片２０１に取り付けられることで、差込み片２０１の割れを防止する。なお、キャップ２０は、差込み片２０１の割れを防止できる素材であれば、樹脂及び金属以外の素材により形成されていてもよい。
【０１４７】
第１の管体２００−１（キャップ７、短管体２００）は、図１５及び図１６に示すように、竿芯１の元竿部に被嵌されている。また、第１の管体２００−１は、キャップ２０の手元側（図１５中の右側）に隣接して配置されている。第１の管体２００−１は、軸心方向Ａ１に貫通する貫通孔が形成された円筒形状に形成されている。第１の管体２００−１は、例えば、木質の素材、金属、樹脂、グラスファイバー、炭素繊維強化複合材料樹脂の何れかにより形成されている。好ましくは、第１の管体２００−１は、広葉樹、針葉樹等を削ることで形成された木管である。また、第１の管体２００−１は、これら広葉樹、針葉樹等を張り合わせた組木状態の木を削ることで形成された木管等であってもよい。第１の管体２００−１は、外郭管体２０２（第１本体部）と、差込み片２０１（第１差込み部）と、を有する。
【０１４８】
第１の管体２００−１の外郭管体２０２は、その内径が、竿芯１の外径よりも大きい円筒形状に形成されている。この外郭管体２０２には、補強パイプ８の一方の端部が嵌め込まれている。これにより、外郭管体２０２の内周面２０２ａには、補強パイプ８の外周面が接触する。
【０１４９】
第１の管体２００−１の差込み片２０１は、その内径が、竿芯１の外径と同等となる円筒形状に形成されている。これにより、差込み片２０１は、竿芯１に支持され、結果として、第１の管体２００−１が、竿芯１の元竿部に被嵌されて支持される。差込み片２０１は、外郭管体２０２から軸心方向Ａ１に突出している。差込み片２０１は、例えば、外郭管体２０２の外周の端部の一部を削ることにより形成される。この差込み片２０１には、キャップ２０が嵌め込まれている。本実施の形態３においては、第１の管体２００−１は、木材からなる木管であるため、第１の管体２００−１の割れが課題となるが、このキャップ２０により、差込み片２０１の割れが防止され、ひいては、第１の管体２００−１全体の割れが防止される。
【０１５０】
リールシート２ｂは、図１５及び図１７に示すように、軸心方向Ａ１に貫通する貫通孔が形成された円筒形状に形成されている。リールシート２ｂは、例えば、リール１０を固定するパイプ状のものであり、第１の管体２００−１の手元側（図１５中の右側）に隣接して配置されている。リールシート２ｂは、リールシート本体２ｂ３と、リールシートキャップ２ｂ４と、を有する。リールシート本体２ｂ３には、係止片２ｂ２が形成されている。リールシートキャップ２ｂ４は、リールシート本体２ｂ３に螺合又は嵌合され、係止片２ｂ１が形成されている。リールシートキャップ２ｂ４は、回転方向Ａ２に回転する回転部分２ｂ４−１と、回転しない非回転部分とを有する。回転部分２ｂ４−１が、回転方向Ａ２に回転されることにより、リールシートキャップ２ｂ４全体が、軸心方向Ａ１に進退する。これにより、係止片２ｂ１と係止片２ｂ２との間が、広がったり狭まったりする。また、リールシート２ｂの貫通孔には、補強パイプ８が嵌め込まれている。また、リールシート２ｂは、例えば、単一の素材により形成される。リールシート２ｂは、例えば、樹脂により形成されている。リールシート２ｂの係止片２ｂ１、２ｂ２には、リール１０が有する脚１０ａ、１０ｂが係止される。これにより、リールシート２ｂは、リール１０を支持する。リールシート２ｂは、その貫通孔の内径が、第１の管体２００−１の外郭管体２０２の内径と等しく形成されている。ただし、リールシート２ｂの貫通孔の内径は、第１の管体２００−１の外郭管体２０２の内径と一致する必要はなく、同等であればよい。
【０１５１】
第２の管体２００−２（短管体２００）は、図１５及び図１８に示すように、第１の管体２００−１と共に、竿芯１の元竿部に被嵌されている。また、第２の管体２００−２は、リールシート２ｂの手元側（図１５中の右側）に隣接して配置されている。第２の管体２００−２は、軸心方向Ａ１に貫通する貫通孔が形成された円筒形状に形成されている。第２の管体２００−２は、例えば、木質の素材、金属、樹脂、グラスファイバー、炭素繊維強化複合材料樹脂の何れかにより形成されている。好ましくは、第２の管体２００−２は、広葉樹、針葉樹等を削ることで形成された木管である。また、第２の管体２００−２は、これら広葉樹、針葉樹等を張り合わせた組木状態の木を削ることで形成された木管等であってもよい。第２の管体２００−２は、外郭管体２０２（第２本体部）と、差込み片２０１（第２差込み部）と、を有する。
【０１５２】
第２の管体２００−２の外郭管体２０２は、円筒形状に形成されている。この外郭管体２０２には、補強パイプ８の他方の端部が嵌め込まれている。これにより、外郭管体２０２の内周面２０２ａには、補強パイプ８の外周面が接触する。外郭管体２０２は、その内径が、リールシート２ｂの貫通孔の内径、及び第１の管体２００−１の外郭管体２０２の内径と等しく形成されている。ただし、外郭管体２０２の内径は、リールシート２ｂの貫通孔の内径、及び第１の管体２００−１の外郭管体２０２の内径と一致する必要はなく、同等であればよい。
【０１５３】
第２の管体２００−２の差込み片２０１は、その内径が、竿芯１の外径と同等となる円筒形状に形成されている。これにより、差込み片２０１は、竿芯１に支持され、結果として、第１の管体２００−１が、竿芯１の元竿部に被嵌されて支持される。差込み片２０１は、外郭管体２０２から、軸心方向Ａ１に突出している。差込み片２０１は、例えば、外郭管体２０２の外周の端部の一部を削ることにより形成される。この差込み片２０１は、第２の管体２００−２の外郭管体２０２に差し込まれている。
【０１５４】
第３の管体２００−３（短管体２００）は、図１５及び図１９に示すように、第１、第２の管体２００−１、２００−２と共に、竿芯１の元竿部に被嵌されている。第３の管体２００−３は、第１、第２の管体２００−１、２００−２と同様に、外郭管体２０２（第３本体部）と、差込み片２０１（第３差込み部）と、を有する。
【０１５５】
第３の管体２００−３の外郭管体２０２は、円筒形状に形成されている。
【０１５６】
第３の管体２００−３の差込み片２０１は、その内径が、竿芯１の外径と同等となる円筒形状に形成されている。これにより、差込み片２０１は、竿芯１に支持され、結果として、第３の管体２００−３が、竿芯１の元竿部に被嵌されて支持される。差込み片２０１は、外郭管体２０２から、軸心方向Ａ１に突出している。差込み片２０１は、例えば、外郭管体２０２の外周の端部の一部を削ることにより形成される。この差込み片２０１には、キャップ２０´が嵌め込まれている。本実施の形態３においては、第３の管体２００−３は、木材からなる木管であるため、第３の管体２００−３の割れが課題となるが、このキャップ２０´により、差込み片２０１の割れが防止され、ひいては、第３の管体２００−３全体の割れが防止される。
【０１５７】
キャップ２０´は、図１５に示すように、グリップ２の最も手元側（図１５中の右側）を構成する部品である。キャップ２０´は、第２の管体２００−２の手元側（図１５中の右側）に隣接して配置されている円筒形状の部品である。キャップ２０´は、例えば、木質の素材、金属、樹脂、グラスファイバー、炭素繊維強化複合材料樹脂の何れかにより形成されている。好ましくは、キャップ２０´は、広葉樹、針葉樹等を削ることで形成された木管である。また、キャップ２０´は、これら広葉樹、針葉樹等を張り合わせた組木状態の木を削ることで形成された木管等であってもよい。キャップ２０´は、木材により形成される第２の管体２００−２の差込み片２０１に取り付けられることで、差込み片２０１の割れを防止する。なお、キャップ２０´は、差込み片２０１の割れを防止できる素材であれば、樹脂及び金属以外の素材により形成されていてもよい。
【０１５８】
補強パイプ８は、図１５に示すように、竿芯１の軸心方向Ａ１を筒軸とする円筒形状に形成されている。また、補強パイプ８は、第１の管体２００−１の外郭管体２０２、リールシート２ｂの貫通孔、及び第２の管体２００−２の外郭管体２０２に嵌め込まれることが可能な外径に形成されている。補強パイプ８が、第１の管体２００−１の外郭管体２０２、リールシート２ｂの貫通孔、及び第２の管体２００−２の外郭管体２０２に嵌め込まれることで、補強パイプ８の外周面は、第１の管体２００−１の外郭管体２０２の内周面２０２ａ、リールシート２ｂの貫通孔の内周面２ｂａ、及び第２の管体２００−２の外郭管体２０２の内周面２０２ａに接触している。この補強パイプ８は、例えば、木質の素材、金属、樹脂、グラスファイバー、炭素繊維強化複合材料樹脂の何れかにより形成されている。
【０１５９】
このように構成されていることで、補強パイプ８の内周面８ａと、竿芯１の外周面１ｂとの間には、空間６が形成される。
【０１６０】
以上、説明したように、本実施の形態３に係る釣竿Ａのグリップ２においては、図２０に示すように、補強パイプ８の外周面は、第１、第２の管体２００−１、２００−２の外郭管体２０２の内周面２０２ａに、接触部分Ｃ１、Ｃ２において、接触している。このため、補強パイプ８の孔内全体に空間６を確保することができる。したがって、グリップ２においては、空間６を大きく確保することが可能になる。
【０１６１】
一方、特許文献３には、図２１に示すように、釣竿に装着された一対の円筒状の管体としての装着管２００´に、補強パイプとしての金属製管状取り付け支脚８´が取り付けられているグリップ２´が開示されている。この金属製管状取り付け支脚８´は、リールシートが支持される管であり、金属製管状取り付け支脚８´の内周面が、円筒状の装着管２００´の外周面に接触するように設けられている。
【０１６２】
この図２１に示す比較例に係るグリップ２´（特許文献３に開示されているグリップ）においては、補強パイプとしての金属製管状取り付け支脚８´の内周面が、円筒形状の装着管２００´の差込み片の外周面に、接触部分Ｃ３、Ｃ４において、接触している。このため、金属製管状取り付け支脚８´の管に、装着管２００´の差込み片が入り込み、金属製管状取り付け支脚８´の管の孔の長さＬ１に対して、空間６´の長さＬ２が短くなる。これにより、金属製管状取り付け支脚８´の管の孔内全体に空間６´を確保することは困難となる。結果として、空間６´は、図２０に示すグリップ２の空間６より小さくなる。また、装着管２００´は、貫通孔を有する円筒形状ではなく、貫通孔を有さない円柱形状に形成されている。この結果、グリップ２´の重量が大きくなるおそれがある。
【０１６３】
実施の形態３に係る発明は、上述の事情の下になされたもので、軽量化を実現することができる釣竿のグリップを提供する。
【０１６４】
すなわち、本実施の形態３においては、図２０に示すように、補強パイプ８の外周面は、第１の管体２００−１の外郭管体２０２の内周面２０２ａに、接触部分Ｃ１、Ｃ２において、接触している。このため、補強パイプ８の孔の長さＬ１と、空間６の長さとが一致し、これにより、補強パイプ８の孔内全体に空間６を確保することができる。この空間６の確保により、グリップ２を軽量化することができる。ひいては、実用に供した釣竿Ａのグリップ２を提供することができる。また、本実施の形態３においては、図２１に示す比較例に係るグリップ２´と外観を変更することなく、補強パイプ８の孔内全体に空間６を確保することができる。
【０１６５】
また、本実施の形態３においては、図２０に示すように、補強パイプ８は、第１の管体２００−１の外郭管体２０２、リールシート２ｂの貫通孔、及び第２の管体２００−２の外郭管体２０２に嵌め込まれている。このため、グリップ２の剛性を高めることができる。ひいては、実用に供した釣竿Ａのグリップ２を提供することができる。
【０１６６】
また、本実施の形態３に係る釣竿Ａのグリップ２は、第１の管体２００−１と、第１の管体２００−１から軸心方向Ａ１に離間する第２の管体２００−２と、第１、第２の管体２００−１、２００−２の間に配置されているリールシート２ｂとを備える。このため、第１、第２の管体２００−１、２００−２とは別の一つの短管体２００（第５の管体）を更に加えたり、複数の短管体２００（第４、第５の管体）を更に加えたりすることができる。これにより、釣竿Ａのグリップ２の軸心方向Ａ１の長さや、グリップ２の径を、釣り人の好みに合わせて適宜調整することができる。ひいては、実用に供した釣竿Ａのグリップ２を提供することができる。
【０１６７】
また、本実施の形態３においては、釣竿Ａのグリップ２は、第１、第３の管体２００−１、２００−３の差込み片２０１に取り付けられるキャップ２０、２０´を備える。本実施の形態３においては、第１、第３の管体２００−１、２００−３は、木材からなる木管であるため、第１、第３の管体２００−１、２００−３の割れが課題となる。しかしながら、キャップ２０、２０´により、差込み片２０１の割れが防止され、ひいては、第１、第３の管体２００−１、２００−３全体の割れが防止される。
【０１６８】
また、本実施の形態３においては、補強パイプ８の内周面８ａと、竿芯１の外周面１ｂとの間には、空間６が形成されている。このため、穂先の振動、例えば、魚等が餌等を捕食している感触を、空間６を介して、グリップ２に伝達することができる。これにより、釣り人は、釣りの醍醐味をより楽しむことができる。
【０１６９】
また、本実施の形態３においては、第１〜第３の管体２００−１〜２００−３は、木材より形成されている。このため、釣り人にとって、水に濡れても滑りにくく、グリップ２を持った時の適度な温度、適度な柔らかさを確保できて、握り易くなる。また、グリップ２の軽量化を図ることができる。
【０１７０】
（実施の形態４）
以下、本発明の実施の形態４に係る釣竿Ａのグリップ２について、図２２を用いて説明する。実施の形態４に係る釣竿Ａのグリップ２は、ブッシュ８１を更に備える点で、上述の実施の形態３に係るものと相違する。なお、実施の形態４に係る釣竿Ａのグリップ２において、実施の形態３に係るものと同一又は同等の構成については、同一の符号を用いて、その説明を省略する。
【０１７１】
実施の形態４に係る釣竿Ａのグリップ２は、実施の形態３に係るものと同様に、釣竿Ａの竿芯１に取り付けられている。グリップ２は、穂先側のキャップ２０、第１の管体２００−１と、リールシート２ｂと、第２の管体２００−２と、手元側の第３の管体２００−３と、手元側のキャップ２０´と、補強パイプ８と、ブッシュ８１と、を備える。ブッシュ８１以外の各部材は、実施の形態３に係るものと同一のものである。
【０１７２】
ブッシュ８１は、リング状又は円筒形状に形成され、空間６内に配置されることにより、竿芯１に対して、補強パイプ８等を支持する部材である。ブッシュ８１は、補強パイプ８の内周面８ａと、竿芯１の外面との間に配置されている。本実施の形態４に係る釣竿Ａのグリップ２は、３つのブッシュ８１を備える。しかしながら、これに限られない。釣竿Ａのグリップ２は、補強パイプ８の内周面８ａと、竿芯１の外面との間に、少なくとも一つのブッシュ８１を備えていればよい。
【０１７３】
本実施の形態４に係る釣竿Ａのグリップ２においても、実施の形態３に係るものと同等の効果を奏することができる。
【０１７４】
（実施の形態５）
以下、本発明の実施の形態５に係る釣竿Ａのグリップ２について、図２３を用いて説明する。実施の形態３に係る釣竿Ａのグリップ２は、ユーザが掴む部分として機能するパイプ状のリールシート２ｂに代えて、グリップ管２０５を備える点で、上述の実施の形態３、４に係るものと相違する。なお、実施の形態５に係る釣竿Ａのグリップ２において、実施の形態３、４に係るものと同一又は同等の構成については、同一の符号を用いて、その説明を省略する。
【０１７５】
グリップ管２０５は、ユーザが掴む部分の一部を構成する。グリップ管２０５は、竿芯１の軸心方向Ａ１に貫通する貫通孔が形成された円筒形状に形成されている。グリップ管２０５の貫通孔には、補強パイプ８が嵌め込まれている。また、グリップ管２０５は、単一の素材、例えば、木質の素材により形成されている。又は、グリップ管２０５は、複数の素材の組み合わせ、例えば、樹脂及び木質の素材等の組み合わせにより形成されている。グリップ管２０５は、その貫通孔の内径が、第１、第２の管体２００−１、２００−２の外郭管体２０２の内径と等しく形成されている。ただし、グリップ管２０５の貫通孔の内径は、第１、第２の管体２００−１、２００−２の外郭管体２０２の内径と一致する必要はなく、同等であればよい。
【０１７６】
本実施の形態５に係る釣竿Ａのグリップ２においても、実施の形態３、４に係るものと同等の効果を奏することができる。
【０１７７】
（実施の形態６）
以下、本発明の実施の形態６に係る釣竿Ａのグリップ２について、図２４（ａ）、（ｂ）を用いて説明する。実施の形態６に係る釣竿Ａのグリップ２は、シート状のリールシート２ｂを備える点で、上述の実施の形態５に係るものと相違する。なお、実施の形態６に係る釣竿Ａのグリップ２において、実施の形態５に係るものと同一又は同等の構成については、同一の符号を用いて、その説明を省略する。
【０１７８】
実施の形態６に係る釣竿Ａのグリップ２は、穂先側のキャップ２０と、第１の管体２００−１と、グリップ管２０５と、リールシート２ｂと、第２の管体２００−２と、手元側の第３の管体２００−３と、手元側のキャップ２０´と、補強パイプ８と、ブッシュ８１と、を備える。リールシート２ｂ以外の各部材は、実施の形態５に係るものと同一のものである。
【０１７９】
リールシート２ｂは、グリップ管２０５の表面に装着されるシート状のものである。
【０１８０】
本実施の形態６に係る釣竿Ａのグリップ２においても、実施の形態３〜５に係るものと同等の効果を奏することができる。
【０１８１】
（実施の形態７）
以下、本発明の実施の形態７に係る釣竿Ａのグリップ２について、図２５（ａ）、（ｂ）を用いて説明する。実施の形態７に係る釣竿Ａのグリップ２は、補強パイプ８の形状が異なる点で、上述の実施の形態３〜６に係るものと相違する。なお、実施の形態７に係る釣竿Ａのグリップ２において、実施の形態３〜６に係るものと同一又は同等の構成については、同一の符号を用いて、その説明を省略する。
【０１８２】
補強パイプ８には、軸心方向Ａ１に直交する方向に貫通する複数の孔８ｂが形成されている。なお、実施の形態７においては、補強パイプ８には、複数の孔８ｂが形成されているが、これに限られない。補強パイプ８には、少なくとも一つの孔８ｂが形成されていればよい。
【０１８３】
本実施の形態７に係る釣竿Ａのグリップ２においても、実施の形態３〜６に係るものと同等の効果を奏することができる。
【０１８４】
（実施の形態８）
以下、本発明の実施の形態８に係る釣竿Ａのグリップ２について、図２５（ｃ）、（ｄ）を用いて説明する。実施の形態８に係る釣竿Ａのグリップ２は、補強パイプ８の形状が異なる点で、上述の実施の形態３〜６に係るものと相違する。なお、実施の形態８に係る釣竿Ａのグリップ２において、実施の形態３〜６に係るものと同一又は同等の構成については、同一の符号を用いて、その説明を省略する。
【０１８５】
補強パイプ８には、図２５（ｃ）に示すように、円筒形状の少なくとも一方の端部から切り欠かれた一つの切欠き８０が形成されている。なお、実施の形態８においては、補強パイプ８には、一つの切欠き８０が形成されているが、これに限られない。図２５（ｄ）に示すように、補強パイプ８には、複数の切欠き８０が形成されていてもよい。また、補強パイプ８には、切欠き８０に加えて、孔８ｂも形成されていてもよい。
【０１８６】
本実施の形態８に係る釣竿Ａのグリップ２においても、実施の形態３〜７に係るものと同等の効果を奏することができる。
【０１８７】
（実施の形態９）
以下、本発明の実施の形態９に係る釣竿Ａのグリップ２について、図２６を用いて説明する。上記実施の形態３に係る釣竿Ａのグリップ２のブッシュ８１は、図２６（ａ）に示すように、円筒形状に形成されている。しかしながら、これに限られない。図２６（ｂ）に示すように、ブッシュ８１は、軸心方向Ａ１に直交する方向に貫通する少なくとも一つの孔８１ａが形成されていてもよい。また、図２６（ｃ）に示すように、ブッシュ８１は、円筒形状の少なくとも一方の端部から他方の端部まで切り欠かれたスリット８１ｂが形成されていてもよい。また、ブッシュ８１には、孔８１ａとスリット８１ｂとの双方が形成されていてもよい。
【０１８８】
本実施の形態９に係る釣竿Ａのグリップ２においても、実施の形態３〜８に係るものと同等の効果を奏することができる。
【０１８９】
（実施の形態３〜９の変形例１）
本実施の形態３〜９に係る釣竿Ａのグリップ２においては、図１６、図１８に示すように、第１、第２の管体２００−１、２００−２は、外郭管体２０２（第１、第２本体部）と、差込み片２０１（第１、第２差込み部）と、を有する。すなわち、図１６、図１８に示す第１、第２の管体２００−１、２００−２の形状は、一案に係るグリップ２に用いられている短管体２００（図４−１参照）の形状と同等である。しかしながら、これに限られない。本実施の形態３〜９に係るグリップ２は、図１６、図１８に示す第１、第２の管体２００−１、２００−２に代えて、図４−２（イ）〜（ニ）に示す短管体２００を備えるようにしてもよい。図４−２（イ）〜（ニ）に示す短管体２００は、軸心方向Ａ１に貫通孔を有する円筒形状の外郭管体２０２（第１、第２本体部）と、円筒形状の繋ぎ片２０１−１と、を有する。
【０１９０】
また、図４−２（ハ）、（ニ）に示す繋ぎ片２０１−１は、スリットや孔のない円筒形状に形成されている。しかしながら、これに限られない。繋ぎ片２０１−１は、図４−２（ホ）に示すように、断面がＣ形状となるように、軸心方向Ａ１にスリットが形成されていてもよい。そして、この図４−２（ホ）に示す繋ぎ片２０１−１を、本実施の形態１、２に係るグリップ２の第１、第２の管体２００−１、２００−２に適用してもよい。
【０１９１】
また、図４−２（ハ）、（ニ）に示す繋ぎ片２０１−１は、スリットや孔のない円筒形状に形成されている。しかしながら、これに限られない。繋ぎ片２０１−１は、図４−３（ロ）に示すように、軸心方向Ａ１に直交する方向に貫通する孔が形成されていてもよい。そして、この図４−３（ロ）に示す繋ぎ片２０１−１を、本実施の形態３、４に係るグリップ２の第１、第２の管体２００−１、２００−２に適用してもよい。
【０１９２】
また、図４−２（イ）に示す短管体２００は、スリットや孔のない円筒形状に形成されている。しかしながら、これに限られない。短管体２００は、図４−３（イ）に示すように、軸心方向Ａ１に直交する方向に貫通する孔が形成されていてもよい。そして、この図４−３（イ）に示す短管体２００を、本実施の形態３、４に係るグリップ２の第１、第２の管体２００−１、２００−２として適用してもよい。
【０１９３】
（実施の形態３の変形例２）
なお、実施の形態３に係る釣竿Ａのグリップ２においては、図１５及び図１７に示すように、リールシート２ｂは、リールシートキャップ２ｂ４を、手元側（図中右側）に向くように、竿芯１に対して配置されている。しかしながら、これに限られない。これとは逆に、図５−１に示す四案と同じように、リールシート２ｂは、リールシートキャップ２ｂ４を、穂先側（図中左側）に向くように、竿芯１に対して配置されていてもよい。
【０１９４】
なお、五案における図５−２に示すグリップ２は、上記実施の形態３〜９に係るグリップ２と、補強パイプ８を有する点では同じである。
【０１９５】
なお、図６−２に示す補強パイプ８は、図２５（ｃ）に示す実施の形態８に係る補強パイプ８と同じものであり、一つの切欠き８０が形成されている。また、六案における図６−２に示すグリップ２は、上記実施の形態３〜９に係るグリップ２と、補強パイプ８を有する点では同じである。
【０１９６】
前述の如く、図面に基づいて説明した本発明は、好ましい一例であって、この説明と各図面に限定されない。従って、発明の趣旨の範囲において構成の一部を変更する構造、同じ特徴と効果を達成できる構造、等は、本発明の範疇である。
【０１９７】
上記の実施形態、又はその一部は、以下の付記のようにも記載されうるが、以下には限られない。
【０１９８】
［付記１］
金属製、又は樹脂製、或いはグラスファイバー、炭素繊維強化複合材料の何れかで形成されている可撓性を備え、かつ耐性で成る釣竿の竿芯と、
この釣竿の元竿部に被嵌された、木質、又は金属製、樹脂製、或いはグラスファイバー、炭素繊維強化複合材料樹脂製の何れかで形成されている鞘管（グリップ）、及び／又はリールシートと、
を備え、
この鞘管を構成する、一つのリング形状の管体、及び／又は、複数のリング形状の短管体と、
前記リールシート、及び／又はこの鞘管の内周面と、前記竿芯の外周面との間に、形成した空間と、
で構成可能なことを特徴とする鞘管を備えた釣竿のグリップ。
【０１９９】
［付記２］
前記空間は、穂先、及び／又は、釣り糸の振動を、前記鞘管、又は前記リールシートのグリップに伝達可能なことを特徴とする付記１に記載の釣竿のグリップ。
【０２００】
［付記３］
前記短管体は、外周側の肉をカットした差込み片と、この差込み片に繋がる前記リング形状の外郭管体と、
でなることを特徴とする付記１に記載の釣竿のグリップ。
【０２０１】
［付記４］
前記短管体は、外周側の肉をカットした、連結用の細径外管の繋ぎ片と、前記リング形状の外郭管体でなり、この繋ぎ片に前記外郭管体が被嵌可能であることを特徴とする付記１に記載の釣竿のグリップ。
【０２０２】
［付記５］
前記短管体は、前記差込み片、又は前記繋ぎ片を用いて、接着剤で連繋固止可能なことを特徴とする付記３又は４に記載の釣竿のグリップ。
【０２０３】
［付記６］
前記管体、又は前記短管体と、前記竿芯は、接着剤、止め具、又は緊締紐の何れかで、固止可能なことを特徴とする付記１に記載の釣竿のグリップ。
【０２０４】
［付記７］
前記管体、又は前記短管体は、前記リング形状の管の肉厚を、０．５ｍｍ〜５ｍｍとし、軽量化可能なことを特徴とする付記１に記載の釣竿のグリップ。
【０２０５】
［付記８］
前記管体、又は前記短管体は、木質で、かつ質感の組み合わせを可能なことを特徴とする付記１に記載の釣竿のグリップ。
【０２０６】
［付記９］
前記管体、又は前記短管体は、木質、又は金属製、樹脂製、或いはグラスファイバー、炭素繊維強化複合材料樹脂製の何れかで形成可能なことを特徴とする付記１に記載の釣竿のグリップ。
【０２０７】
［付記１０］
前記鞘管（グリップ）、及び／又は前記リールシートの、穂先側、及び又は手元側端部に、口金を設けることを特徴とする付記１に記載の釣竿のグリップ。
【０２０８】
［付記１１］
釣竿のグリップでは、前記管体は、木質の素材により形成されてもよい。
【０２０９】
［付記１２］
釣竿のグリップでは、前記管体は、広葉樹及び針葉樹の少なくとも一方により形成されてもよい。
【符号の説明】
【０２１０】
１  竿芯
１ａ  内周面
１ｂ  外周面（（竿芯の）外面）
１００  手元部
２、２´  グリップ
２ａ外周面
２ｂ  リールシート
２ｂａ  内周面
２ｂｂ  外周面
２ｂｃ  被嵌合部
２ｂ１  係止片
２ｂ２  係止片
２ｂ３  リールシート本体
２ｂ４  リールシートキャップ
２ｂ４−１  回転部分
２ｂ５  フレームパイプ
２ｃ  グリップ部
２００  短管体
２００´  装着管
２００−１  第１の管体（キャップ、管体、短管体）
２００−２  第２の管体（短管体）
２００−３  第３の管体（短管体）
２００−４  第４の管体（短管体）
２００ａ  外周側
２００ｂ  内周側
２０１  差込み片（第１差込み部、第２差込み部）
２０１−１  繋ぎ片（第１の繋ぎ部、第２の繋ぎ部）
２０１−１ａ  内周面
２０１−１ｂ  外周面
２０１ａ  内周面
２０１ｂ  外周面
２０２  外郭管体（第１本体部、第２本体部）
２０２ａ  内周面
２０３  差込み片（第１の差込み部、第２の差込み部）
２０５  グリップ管
２０００  管体
２００１  ブッシュ
３  接着剤
５  尻栓
５−２  尻栓螺合部材
６、６´  空間
７、７´  キャップ
７ａ  内周面
８  補強パイプ
８´  金属製管状取り付け支脚
８ａ  内周面
８ｂ  孔
８０  切欠き
８０ａ  端辺
８０ｂ  端辺
８１  ブッシュ（ガイド）
８１ａ  孔
８１ｂ  スリット
１０  リール
１０ａ  脚
１０ｂ  脚
１０ｃ  隙間
１０ｄ  隙間
２０  キャップ（割れ防止部材）
２０´  キャップ
Ａ  釣竿
Ａ１  軸心方向
Ａ２  回転方向
Ｃ、Ｃ１〜Ｃ４  接触部分
Ｌ１、Ｌ２  長さ
Ｗ１〜Ｗ３  外径
Ｄ１  径
【図１】
0006883884.tif 000002
【図２Ａ】
0006883884.tif 000003
【図２Ｂ】
0006883884.tif 000004
【図３−１】
0006883884.tif 000005
【図３−２Ａ】
0006883884.tif 000006
【図３−２Ｂ】
0006883884.tif 000007
【図３−３】
0006883884.tif 000008
【図３−４】
0006883884.tif 000009
【図４−１】
0006883884.tif 000010
【図４−２】
0006883884.tif 000011
【図４−３】
0006883884.tif 000012
【図４−４】
0006883884.tif 000013
【図４−５】
0006883884.tif 000014
【図５−１】
0006883884.tif 000015
【図５−２】
0006883884.tif 000016
【図５−３】
0006883884.tif 000017
【図５−４】
0006883884.tif 000018
【図６−１】
0006883884.tif 000019
【図６−２】
0006883884.tif 000020
【図６−３】
0006883884.tif 000021
【図７】
0006883884.tif 000022
【図８】
0006883884.tif 000023
【図９】
0006883884.tif 000024
【図１０】
0006883884.tif 000025
【図１１】
0006883884.tif 000026
【図１２】
0006883884.tif 000027
【図１３】
0006883884.tif 000028
【図１４】
0006883884.tif 000029
【図１５】
0006883884.tif 000030
【図１６】
0006883884.tif 000031
【図１７】
0006883884.tif 000032
【図１８】
0006883884.tif 000033
【図１９】
0006883884.tif 000034
【図２０】
0006883884.tif 000035
【図２１】
0006883884.tif 000036
【図２２】
0006883884.tif 000037
【図２３】
0006883884.tif 000038
【図２４】
0006883884.tif 000039
【図２５】
0006883884.tif 000040
【図２６】
0006883884.tif 000041